(57)【要約】【課題】  光ディスクであるＢＤ，ＨＤ  ＤＶＤ，ＤＶＤ，ＣＤの媒体種類判別を行う場合、波長の異なる複数のレーザ光と実効的開口数（ＮＡ）が異なる複数の対物レンズが存在するので、どの波長とどのＮＡの組み合わせで媒体判別のためのフォーカスサーチを行うのかという問題がある。【解決方法】  複数層媒体の光入射面から最も離れた情報記録層での実効反射率を最大にする波長の光を出射するレーザーモジュール（１５）に発光させて、かつ、その波長の光を前提にした光ディスク規格に用いるＮＡのうち最小のＮＡの対物レンズ（１９）を用いてフォーカスサーチを実行し、検出されるフォーカスＳ字信号に基づいて媒体種類判別を行う。【選択図】図１
2008165904.tif 000002
【特許請求の範囲】
【請求項１】
波長が異なる複数のレーザ光のいずれかを出力する発光手段と、実効的開口数（ＮＡ）が異なる１つ以上の対物レンズと、前記レーザ光のいずれか１つと前記対物レンズの１つとの組み合わせを用いて光ディスクに集光されたレーザ光の戻り光を検出する光検出器とを備えると共に、
前記１つのレーザ光を前記１つの対物レンズを介して前記光ディスクに集光照射させながら当該対物レンズを光軸に沿った方向に移動させて戻り光の変動を前記光検出器に検出させるフォーカスサーチを行いその結果得られるフォーカスＳ字信号に基づいて前記光ディスクを判別する光ディスク判別手段を備え、
前記光ディスク判別手段は、前記判別対象の光ディスクの光入射面に照射した光量に対するこの光ディスクの光入射面から最も離れた情報記録層で反射した戻り光の光量の比率が最も大きくなる波長のレーザ光と、この波長のレーザ光での記録再生を前提にした規格の光ディスクで使用を前提とされているＮＡのうち最も小さいＮＡとを、前記フォーカスサーチを行うための組み合わせとしたことを特徴とする光ディスク装置。
【請求項２】
前記請求項１に記載の光ディスク装置において、
前記光ディスク判別手段は、前記光ディスクの光入射面に前記レーザ光の焦点が位置することを示すフォーカスＳ字信号とそれに最も近い間隔で検出されるフォーカスＳ字信号との時間間隔に基づいて当該光ディスクの種類を判別することを特徴とする光ディスク装置。
【請求項３】
前記請求項１又は２に記載の光ディスク装置において、
前記光ディスク判別手段は、フォーカスＳ字信号の検出数に基づいて前記光ディスクの情報記録層数を判別することを特徴とする光ディスク装置。
【請求項４】
前記請求項１乃至３のいずれか一項に記載の光ディスク装置において、
前記光ディスク判別手段により前記フォーカスＳ字信号に基づいて前記光ディスクの情報記録層数が特定されると、前記光ディスクにおける１つ又は複数の情報記録層のうちの予め決められた情報記録層を検索し媒体種別情報が記憶されているか否かを判定する媒体種別情報検索手段を備えたことを特徴とする光ディスク装置。
【請求項５】
前記請求項４に記載の光ディスク装置において、
前記媒体種別情報検索手段が、前記光ディスクにおける１つ又は複数の情報記録層のうちの予め決められた情報記録層を検索し前記媒体種別情報の有無によって当該光ディスクの種類を判別することを特徴とする光ディスク装置。
【請求項６】
前記請求項４又は５に記載の光ディスク装置において、
前記媒体種別情報検索手段により前記光ディスクに前記媒体種別情報が記憶されていると判定された場合に、その媒体種別情報に基づいて当該光ディスクの種類を判別する媒体種別情報読込手段を備えたことを特徴とする光ディスク装置。
【請求項７】
前記請求項４乃至６のいずれか一項に記載の光ディスク装置において、
前記媒体種別情報検索手段が、前記光ディスクにおける媒体種別情報としてＢＣＡを検索することを特徴とする光ディスク装置。
【請求項８】
前記請求項１乃至７のいずれか一項に記載の光ディスク装置において、
前記発光手段が、波長４０５±５ｎｍの青色光及び１つまたは複数の波長６４０ｎｍの赤色光より長波長の光のうちのいずれかを出力する機能を備え、
前記光ディスク判別手段が、前記青色光を用いてフォーカスサーチを行うことを特徴とする光ディスク装置。
【請求項９】
前記請求項１乃至７のいずれか一項に記載の光ディスク装置において、
前記発光手段が、波長４０５±５ｎｍの青色光及び１つまたは複数の波長６４０ｎｍの赤色光より長波長の光のうちのいずれかを出力する機能を備えると共に、
前記青色光を前提とした光ディスクにおける情報の記録再生に用いるＮＡの最小値は０．６５であり、前記長波長の光を前提とした光ディスクにおける情報の記録再生に用いるＮＡが０．６５より小さい条件がある場合に、前記光ディスク判別手段が、前記青色光と前記ＮＡ０．６５条件でフォーカスサーチを行うことを特徴とする光ディスク装置。
【請求項１０】
波長４０５±５ｎｍの青色光を含む波長が異なる複数のレーザ光のいずれかを出力する発光手段と、実効的開口数（ＮＡ）が異なる１つ以上の対物レンズと、前記レーザ光のいずれか１つと前記対物レンズの１つとの組み合わせを用いて光ディスクに集光されたレーザ光の戻り光を検出する光検出器とを備えると共に、
前記１つのレーザ光を前記１つの対物レンズを介して前記光ディスクに集光照射させながら当該対物レンズを光軸に沿った方向に移動させて戻り光の変動を前記光検出器に検出させるフォーカスサーチを行いその結果得られるフォーカスＳ字信号に基づいて前記光ディスクを判別する光ディスク判別手段を備え、
前記光ディスク判別手段が、前記波長４０５±５ｎｍの青色光と、この波長のレーザ光での記録再生を前提にした規格の光ディスクで使用を前提とされているＮＡのうち最も小さいＮＡとを、前記フォーカスサーチを行うための組み合わせとしたことを特徴とする光ディスク装置。
【請求項１１】
前記請求項１０に記載の光ディスク装置において、
前記光ディスク判別手段は、前記光ディスクの光入射面に前記レーザ光の焦点が位置することを示すフォーカスＳ字信号とそれに最も近い間隔で検出されるフォーカスＳ字信号との時間間隔に基づいて当該光ディスクの種類を判別することを特徴とする光ディスク装置。
【請求項１２】
前記請求項１０又は１１に記載の光ディスク装置において、
前記光ディスク判別手段は、フォーカスＳ字信号の検出数に基づいて前記光ディスクの情報記録層数を判別することを特徴とする光ディスク装置。
【請求項１３】
前記請求項１０乃至１２のいずれか一項に記載の光ディスク装置において、
前記光ディスク判別手段により前記フォーカスＳ字信号に基づいて前記光ディスクの情報記録層数が特定されると、前記光ディスクにおける１つ又は複数の情報記録層のうちの予め決められた情報記録層を検索し媒体種別情報が記憶されているか否かを判定する媒体種別情報検索手段を備えたことを特徴とする光ディスク装置。
【請求項１４】
前記請求項１３に記載の光ディスク装置において、
前記媒体種別情報検索手段が、前記光ディスクにおける１つ又は複数の情報記録層のうちの予め決められた情報記録層を検索し前記媒体種別情報の有無によって当該光ディスクの種類を判別することを特徴とする光ディスク装置。
【請求項１５】
前記請求項１３又は１４に記載の光ディスク装置において、
前記媒体種別情報検索手段により前記光ディスクに前記媒体種別情報が記憶されていると判定された場合に、その媒体種別情報に基づいて当該光ディスクの種類を判別する媒体種別情報読込手段を備えたことを特徴とする光ディスク装置。
【請求項１６】
前記請求項１３乃至１５のいずれか一項に記載の光ディスク装置において、
前記媒体種別情報検索手段が、前記光ディスクにおける媒体種別情報としてＢＣＡを検索することを特徴とする光ディスク装置。
【請求項１７】
前記請求項１０乃至１６のいずれか一項に記載の光ディスク装置において、
前記発光手段が、波長４０５±５ｎｍの青色光及び１つまたは複数の波長６４０ｎｍの赤色光より長波長の光のうちのいずれかを出力する機能を備えると共に、
前記青色光を前提とした光ディスクにおける情報の記録再生に用いるＮＡの最小値は０．６５であり、前記長波長の光を前提とした光ディスクにおける情報の記録再生に用いるＮＡが０．６５より小さい条件がある場合に、前記光ディスク判別手段が、前記青色光と前記ＮＡ０．６５条件でフォーカスサーチを行うことを特徴とする光ディスク装置。
【請求項１８】
波長が異なる複数のレーザ光のいずれかを出力する発光手段と、実効的開口数（ＮＡ）が異なる１つ以上の対物レンズと、前記レーザ光のいずれか１つと前記対物レンズの１つとの組み合わせを用いて光ディスクに集光されたレーザ光の戻り光を検出する光検出器とを備えた光ディスク装置における媒体種類判別方法であって、
前記光ディスクの光入射面に照射した光量に対するこの光ディスクの光入射面から最も離れた情報記録層で反射した戻り光の光量の比率が最も大きくなる波長のレーザ光と、この波長のレーザ光での記録再生を前提にした規格の光ディスクで使用を前提とされているＮＡのうち最も小さいＮＡとの組み合わせを前記複数のレーザ光と複数の対物レンズとから選択する波長・ＮＡ条件選択工程と、
前記選択された組み合わせにより前記光ディスクにレーザ光を集光照射させながら前記選択された対物レンズを光軸に沿った方向に移動させて戻り光の変動を前記光検出器に検出させるフォーカスサーチを行うフォーカスサーチ工程と、
前記フォーカスサーチにおいて検出されるフォーカスＳ字信号に基づいて前記光ディスクを判別する光ディスク判別工程とを設けたことを特徴とする媒体種類判別方法。
【請求項１９】
前記請求項１８に記載の媒体種類判別方法において、
前記光ディスク判別工程では、前記光ディスクの光入射面に前記レーザ光の焦点が位置することを示すフォーカスＳ字信号とそれに最も近い間隔で検出されるフォーカスＳ字信号との時間間隔に基づいて当該光ディスクの種類を判別することを特徴とする媒体種類判別方法。
【請求項２０】
前記請求項１８又は１９に記載の媒体種類判別方法において、
前記光ディスク判別工程では、前記フォーカスＳ字信号の検出数に基づいて前記光ディスクの情報記録層数を判別することを特徴とする媒体種類判別方法。
【請求項２１】
前記請求項１８乃至２０のいずれか一項に記載の媒体種類判別方法において、
前記光ディスク判別工程により前記フォーカスＳ字信号に基づいて前記光ディスクの情報記録層数が特定されると、前記光ディスクにおける１つ又は複数の情報記録層のうちの予め決められた情報記録層を検索し媒体種別情報が記憶されているか否かを判定する媒体種別情報検索工程を設けたことを特徴とする媒体種類判別方法。
【請求項２２】
前記請求項２１に記載の媒体種類判別方法において、
前記媒体種別情報検索工程では、前記光ディスクにおける１つ又は複数の情報記録層のうちの予め決められた情報記録層を検索し媒体種別情報の有無によって当該光ディスクの種類を判別することを特徴とする媒体種類判別方法。
【請求項２３】
前記請求項２１又は２２に記載の媒体種類判別方法において、
前記媒体種別情報検索工程により前記光ディスクに前記媒体種別情報が記憶されていると判定された場合に、その媒体種別情報に基づいて前記光ディスクの種類を判別する媒体種別情報読込工程を設けたことを特徴とする媒体種類判別方法。
【請求項２４】
前記請求項２１乃至２３のいずれか一項に記載の媒体種類判別方法において、
前記媒体種別情報検索工程では、前記光ディスクにおける媒体種別情報としてＢＣＡを検索することを特徴とする媒体種類判別方法。
【請求項２５】
前記請求項１８乃至２４のいずれか一項に記載の媒体種類判別方法において、
前記発光手段が、波長４０５±５ｎｍの青色光及び１つまたは複数の波長６４０ｎｍの赤色光より長波長の光のうちのいずれかを出力する機能を備え、
前記波長・ＮＡ条件選択工程では、前記青色光を選択することを特徴とする媒体種類判別方法。
【請求項２６】
前記請求項１８乃至２４のいずれか一項に記載の媒体種類判別方法において、
前記発光手段が、波長４０５±５ｎｍの青色光及び１つまたは複数の波長６４０ｎｍの赤色光より長波長の光のうちのいずれかを出力する機能を備えると共に、
前記波長・ＮＡ条件選択工程では、前記青色光を前提とした光ディスクにおける情報の記録再生に用いるＮＡの最小値は０．６５であり、前記長波長の光を前提とした光ディスクにおける情報の記録再生に用いるＮＡが０．６５より小さい条件がある場合に、前記青色光と前記ＮＡ０．６５条件とを選択することを特徴とする媒体種類判別方法。
【請求項２７】
波長４０５±５ｎｍの青色光を含む波長が異なる複数のレーザ光のいずれかを出力する発光手段と、実効的開口数（ＮＡ）が異なる１つ以上の対物レンズと、前記レーザ光のいずれか１つと前記対物レンズの１つとの組み合わせを用いて光ディスクに集光されたレーザ光の戻り光を検出する光検出器とを備えた光ディスク装置における媒体種類判別方法であって、
波長４０５±５ｎｍの青色光と、この波長のレーザ光での記録再生を前提にした規格の光ディスクで使用を前提とされているＮＡのうち最も小さいＮＡとの組み合わせを前記複数のレーザ光と複数の対物レンズとから選択する波長・ＮＡ条件選択工程と、
前記選択された組み合わせにより前記光ディスクに青色光を集光照射させながら前記選択された対物レンズを光軸に沿った方向に移動させて戻り光の変動を前記光検出器に検出させるフォーカスサーチを行うフォーカスサーチ工程と、
前記フォーカスサーチにおいて検出されるフォーカスＳ字信号に基づいて前記光ディスクを判別する光ディスク判別工程とを設けたことを特徴とする媒体種類判別方法。
【請求項２８】
前記請求項２７に記載の媒体種類判別方法において、
前記光ディスク判別工程では、前記光ディスクの光入射面に前記レーザ光の焦点が位置することを示すフォーカスＳ字信号とそれに最も近い間隔で検出されるフォーカスＳ字信号との時間間隔に基づいて当該光ディスクの種類を判別することを特徴とする媒体種類判別方法。
【請求項２９】
前記請求項２７又は２８に記載の媒体種類判別方法において、
前記光ディスク判別工程では、前記フォーカスＳ字信号の検出数に基づいて前記光ディスクの情報記録層数を判別することを特徴とする媒体種類判別方法。
【請求項３０】
前記請求項２７乃至２９のいずれか一項に記載の媒体種類判別方法において、
前記光ディスク判別工程により前記フォーカスＳ字信号に基づいて前記光ディスクの情報記録層数が特定されると、前記光ディスクにおける１つ又は複数の情報記録層のうちの予め決められた情報記録層を検索し媒体種別情報が記憶されているか否かを判定する媒体種別情報検索工程を設けたことを特徴とする媒体種類判別方法。
【請求項３１】
前記請求項３０に記載の媒体種類判別方法において、
前記媒体種別情報検索工程では、前記光ディスクにおける１つ又は複数の情報記録層のうちの予め決められた情報記録層を検索し媒体種別情報の有無によって当該光ディスクの種類を判別することを特徴とする媒体種類判別方法。
【請求項３２】
前記請求項３０又は３１に記載の媒体種類判別方法において、
前記媒体種別情報検索工程により前記光ディスクに前記媒体種別情報が記憶されていると判定された場合に、その媒体種別情報に基づいて前記光ディスクの種類を判別する媒体種別情報読込工程を設けたことを特徴とする媒体種類判別方法。
【請求項３３】
前記請求項３０乃至３２のいずれか一項に記載の媒体種類判別方法において、
前記媒体種別情報検索工程では、前記光ディスクにおける媒体種別情報としてＢＣＡを検索することを特徴とする媒体種類判別方法。
【請求項３４】
前記請求項２７乃至３３のいずれか一項に記載の媒体種類判別方法において、
前記発光手段が、波長４０５±５ｎｍの青色光及び１つまたは複数の波長６４０ｎｍの赤色光より長波長の光のうちのいずれかを出力する機能を備え、
前記波長・ＮＡ条件選択工程では、前記青色光を前提とした光ディスクにおける情報の記録再生に用いるＮＡの最小値は０．６５であり、前記長波長の光を前提とした光ディスクにおける情報の記録再生に用いるＮＡが０．６５より小さい条件がある場合に、前記青色光と前記ＮＡ０．６５条件とを選択することを特徴とする媒体種類判別方法。
【発明の詳細な説明】
【技術分野】
【０００１】
本発明は、光ディスク装置および媒体種類判別方法に関し、特に複数種類の光ディスク媒体に対応してデータ記録再生を行う光ディスク装置及びその媒体種類判別方法に関する。
【背景技術】
【０００２】
従来、記録媒体である光ディスクは、その記憶容量の大容量化が求められており様々な種類が開発され、それぞれが使用目的に応じて利用されている。代表的なものでは、ＢＤ（Ｂｌｕ−ｒａｙ  Ｄｉｓｃ），ＨＤ  ＤＶＤ（Ｈｉｇｈ  Ｄｅｆｉｎｉｔｉｏｎ  ＤＶＤ），ＤＶＤ（Ｄｉｇｉｔａｌ  Ｖｅｒｓａｔｉｌｅ  Ｄｉｓｋ），ＣＤ（Ｃｏｍｐａｃｔ  Ｄｉｓｃ）がある。
【０００３】
これら光ディスクには、記録再生に用いるレーザ光の波長と対物レンズの実効的開口数（対物レンズの形状と対物レンズへの入射光のビーム径によって決定する開口数。以下、ＮＡとする。）とがそれぞれに対して規定されている。ＢＤは、波長４０５ｎｍの青色光とＮＡ０．８５の対物レンズとを用いた記録再生を前提にしており、ＨＤ  ＤＶＤは波長４０５ｎｍの青色光とＮＡ０．６５の対物レンズ、ＤＶＤは波長６５０ｎｍの赤色光とＮＡ０．６０の対物レンズ、ＣＤは波長７８０ｎｍの赤外光とＮＡ０．５０の対物レンズとを用いた記録再生を前提にしている。
【０００４】
このため、複数種類の光ディスクに対してデータの記録再生をする光ディスク装置においては、光ディスクの規格に応じて使用するレーザ光及び対物レンズを選択し切り換えなければならないので、光ディスクへのサーボ投入、記録再生を行う前に、光ディスクの種類を判別する必要がある。また一方で、光ディスクにおいては、情報記録層を多層化することで１枚当たりの記憶容量を増加した光ディスクもあり、光ディスク装置は、光ディスクの情報記録層が単層であるか多層であるかを判別する必要もある。
【０００５】
光ディスクの媒体種類判別方法としては、そのひとつにフォーカスサーチが知られている。この方法は、図２に示すように、レーザ光が対物レンズを通過する際に光軸に沿った方向へ対物レンズアクチュエータを等速度で移動させて、光の焦点位置を光ディスク内で変化させ、光ディスクからの戻り光の変動から検出されるフォーカスエラー信号に示されるフォーカスＳ字信号を観測する。図３は、ＣＤ，ＤＶＤ，ＨＤ  ＤＶＤ，ＢＤの各光ディスクについてフォーカスサーチを行った場合のフォーカスエラー信号を示す図である。フォーカスエラー信号におけるフォーカスＳ字信号は、照射光の焦点が光ディスクの光入射表面及び情報記録層を通過する際に検出される。
【０００６】
光ディスクの光入射表面から情報記録層の１層目までの距離は、ＣＤの場合１．２ｍｍ、ＨＤ  ＤＶＤ及びＤＶＤの場合０．６ｍｍ、ＢＤの場合０．１ｍｍであり、光入射表面を示すフォーカスＳ字信号から最も近いフォーカスＳ字信号までの時間間隔から光ディスクの光入射表面から情報記録層の１層目までの距離を推定し、０．１ｍｍ相当であればＢＤ、０．６ｍｍ相当であればＨＤ  ＤＶＤ又はＤＶＤ、１．２ｍｍ相当であればＣＤと光ディスクの種類を判別することができる。
【０００７】
また、フォーカスＳ字信号の出現数が２つだけであれば、光入射表面と情報記録層の１層目を示すので情報記録層が１層の光ディスクと判別でき、フォーカスＳ字信号の出現数が３つであれば、光入射面と情報記録層の１層目と２層目とを示すので情報記録層が２層の光ディスクと判別できる。
【０００８】
このように、フォーカスサーチでは、フォーカスＳ字信号間の時間間隔から光ディスクの種類が判別でき、フォーカスＳ字信号の出現回数をカウントすることにより光ディスクの情報記録層が単層であるか多層であるかを判別することができる。
【０００９】
このフォーカスサーチによって光ディスクの種類を判別する装置及び方法が特許文献１に開示されている。特許文献１の光ディスク装置は、光源としては波長４０５ｎｍの青色光を発光する光源のみを搭載し、波長４０５ｎｍの青色光に対してＮＡ０．８５とＮＡ０．６５とを切り替えられる対物レンズを搭載しており、ＢＤとＨＤ  ＤＶＤの２種類の光ディスクの媒体種類判別が可能である。この光ディスク装置は、波長４０５ｎｍの青色光とＮＡ０．８５，ＮＡ０．６５のうちＮＡの小さいＮＡ０．６５レンズとの組み合わせでフォーカスサーチを行い、光入射面と光入射面に近い情報記録層とで検出されるフォーカスＳ字信号の時間間隔によりＢＤであるかＨＤ  ＤＶＤであるかを判別し、フォーカスＳ字信号の出現数から情報記録層数を判別する。
【００１０】
【特許文献１】特開２００６−１３４３６７号公報
【発明の開示】
【発明が解決しようとする課題】
【００１１】
しかしながら、特許文献１の装置は、主にＢＤとＨＤ  ＤＶＤとの判別を可能とし、ＢＤ，ＨＤ  ＤＶＤ以外の光ディスクの判別については、波長４０５ｎｍの青色光と青色光に対してＮＡ０．６５レンズの組み合わせでフォーカスサーチを行い、フォーカスＳ字信号が検出されない場合はＢＤ，ＨＤ  ＤＶＤ以外の光ディスクと判別し、その後ＤＶＤやＣＤの判別処理を行い、ＤＶＤ又はＣＤに適したレーザ波長とＮＡ条件に切り替えるとしているだけである。つまり、ＢＤとＨＤ  ＤＶＤとの判別については、波長４０５ｎｍの青色光と青色光に対してＮＡ０．６５レンズの組み合わせでフォーカスサーチを行うが、ＤＶＤとＣＤとの判別についてはそれぞれに適した波長のレーザ光とＮＡのレンズとに切替えて判別処理を行うと記載されているだけで、ＤＶＤとＣＤとをどう判別するか具体的に開示されていない。
【００１２】
また、特許文献１では、ＢＤ及びＤＶＤに対応する装置の場合、波長６４５ｎｍの赤色光を前提にしたＮＡ０．６５条件とＢＤの記録再生用の波長４０５ｎｍの青色光との組み合わせでフォーカスサーチを行うとしているが、ＢＤは波長４０５ｎｍの青色光と青色光に対してＮＡ０．８５レンズの組み合わせで記録再生を行い、ＤＶＤは波長６４５ｎｍの赤色光と赤色光に対してＮＡ０．６５レンズの組み合わせで記録再生を行うので、ＮＡ０．６５レンズと波長４０５ｎｍの青色光との組み合わせはＢＤやＤＶＤの記録再生という実使用条件を無視した組み合わせであり、具体的実現方法も示されていないので、実際には実施困難である。
【００１３】
また、特許文献１では、ＢＤとＨＤ  ＤＶＤとを判別するためのフォーカスサーチを行う際に高ＮＡであるＮＡ０．８５対物レンズを用いたのでは基板厚０．６ｍｍのＨＤ  ＤＶＤの情報記録層を示すフォーカスＳ字信号を検出する場合に、対物レンズが光ディスクの表面に衝突してしまい、これを防止するためにＮＡの小さいＮＡ０．６５レンズを選択するとしているが、最近ではＢＤ用ＮＡ０．８５対物レンズでもレーザ光焦点からレンズ表面までの距離が０．６ｍｍを超えるようになり、ＢＤ用ＮＡ０．８５対物レンズを選択しても基板厚０．６ｍｍのＨＤ  ＤＶＤの表面に衝突することなくＨＤ  ＤＶＤの情報記録層を検出できるようになっている。これにより、特許文献１の記載内容では、ＢＤとＨＤ  ＤＶＤとの判別において、フォーカスサーチにＮＡの小さいレンズを選択するのが最適であるか否かは不明となる。
【００１４】
また、ＢＤ，ＨＤ  ＤＶＤ，ＤＶＤ，ＣＤの全てに対応して再生記録する光ディスク装置のような、波長が異なるレーザ光を出射する複数の光源とそれぞれの波長光に対して組み合わせるためのＮＡが異なる複数の対物レンズとを備えた装置の場合、どの波長光とどのＮＡの対物レンズとを用いてフォーカスサーチを行うのが最適であるか開示されていない。
【００１５】
よって、特許文献１に開示された装置では、波長が異なるレーザ光を出射する複数の光源とそれぞれの波長光に対して組み合わせるためのＮＡが異なる複数の対物レンズとを備えている場合に、どの波長光とどのＮＡレンズとの組み合わせでフォーカスサーチを行うのが最適か不明であり、ＢＤ，ＨＤ  ＤＶＤ，ＤＶＤ，ＣＤを判別することは困難であるという不都合があった。
【００１６】
［目的］
そこで、本発明は、上記従来技術の不都合を改善し、レーザ光の波長と対物レンズのＮＡとを組み合わせることによって光ディスクの種類に応じた記録再生を行う光ディスク装置において、簡潔に光ディスクの種類判別を行う手法を提供することを、その目的とする。
【課題を解決するための手段】
【００１７】
上記目的を達成するため、本発明の光ディスク装置は、波長が異なる複数のレーザ光のいずれかを出力する発光手段と、実効的開口数（ＮＡ）が異なる１つ以上の対物レンズと、レーザ光のいずれか１つと対物レンズの１つとの組み合わせを用いて光ディスクに集光されたレーザ光の戻り光を検出する光検出器とを備えると共に、１つのレーザ光を１つの光対物レンズを介して光ディスクに集光照射させながら当該対物レンズを光軸に沿った方向に移動させて戻り光の変動を光検出器に検出させるフォーカスサーチを行いその結果得られるフォーカスＳ字信号に基づいて光ディスクを判別する光ディスク判別手段を備え、この光ディスク判別手段は、判別対象の光ディスクの光入射面に照射した光量に対してこの光ディスクの光入射面から最も離れた情報記録層で反射した戻り光の光量の比率が最も大きくなる波長のレーザ光と、この波長のレーザ光での記録再生を前提にした規格の光ディスクで使用を前提とされているＮＡのうち最も小さいＮＡとを、フォーカスサーチを行うための組み合わせとしたことを特徴とする。
【００１８】
このような光ディスク装置によれば、光ディスクの光入射面から最も離れた記録層での実効反射率を最大にする波長のレーザ光を用い、かつ、この波長のレーザ光を前提にした光ディスク規格に用いるＮＡのうち最小のＮＡの対物レンズを用いてフォーカスサーチを行うことで、正確にフォーカスＳ字信号を検出することができ、簡潔に光ディスクを判別することができる。ここで、光入射面から最も離れた記録層での実効反射率とは、光ディスクの光入射面に照射した光量に対してこの光ディスクの光入射面から最も離れた情報記録層で反射した戻り光の光量の比率である。
【００１９】
また、上記の光ディスク装置において、上述した光ディスク判別手段は、光ディスクの光入射面にレーザ光の焦点が位置することを示すフォーカスＳ字信号とそれに最も近い間隔で検出されるフォーカスＳ字信号との時間間隔に基づいて当該光ディスクの種類を判別してもよい。
【００２０】
このようにすると、検出されたフォーカスＳ字信号の間隔を基に光ディスクの基板厚（又はカバー層厚）を推測し、光ディスクの種類を判別することができる。
【００２１】
また、上記の光ディスク装置において、上述した光ディスク判別手段は、フォーカスＳ字信号の検出数に基づいて光ディスクの情報記録層数を判別してもよい。このようにすると、検出されたフォーカスＳ字信号の検出回数を基に光ディスクの情報記録層が単層であるか多層であるかを判別することができる。
【００２２】
また、上記の光ディスク装置において、上述した光ディスク判別手段によりフォーカスＳ字信号に基づいて光ディスクの情報記録層数が特定されると、前記光ディスクにおける１つ又は複数の情報記録層のうちの予め決められた情報記録層を検索し媒体種別情報が記憶されているか否かを判定する媒体種別情報検索手段を備えてもよい。
【００２３】
このようにすると、基板厚（又はカバー層厚）が同じで別の種類の光ディスクについての判別が可能となる。
【００２４】
また、上記の光ディスク装置において、上述した媒体種別情報検索手段が、前記光ディスクにおける１つ又は複数の情報記録層のうちの予め決められた情報記録層を検索し媒体種別情報の有無によって当該光ディスクの種類を判別してもよい。このようにすると、媒体種別情報が記憶されていない規格の光ディスクについて判別することができる。
【００２５】
また、上記の光ディスク装置において、上述した媒体種別情報検索手段により光ディスクに媒体種別情報が記憶されていると判定された場合に、その媒体種別情報に基づいて光ディスクの種類を判別する媒体種別情報読込手段を備えてもよい。このようにすると、光ディスクの種類を正確に判別することができる。
【００２６】
また、上記の光ディスク装置において、上述した媒体種別情報検索手段が、光ディスクにおける媒体種別情報としてＢＣＡ（ｂｕｒｓｔ  ｃｕｔｔｉｎｇ  ａｒｅａ）を検索してもよい。
【００２７】
このようにディスク中心に用意される領域のＢＣＡを検索するように規定しておくことで、迅速に検索処理を実行することができる。
【００２８】
また、上記の光ディスク装置において、発光手段が、波長４０５±５ｎｍの青色光と１つまたは複数の波長６４０ｎｍの赤色光より長波長の光とのうちのいずれかを出力する機能を備え、上述した光ディスク判別手段が、青色光を用いてフォーカスサーチを行ってもよい。
【００２９】
このようにすることで、波長４０５ｎｍの青色光を用いた記録再生を前提にした規格のＢｌｕ−ｒａｙ  Ｄｉｓｋと、波長４０５ｎｍの青色光を前提にした規格のＨＤ  ＤＶＤと、波長６５０ｎｍの赤色光を前提にした規格のＤＶＤとについて明確に判別でき、それぞれの規格に対応してデータの記録再生を実行することができる。
【００３０】
また、上記の光ディスク装置において、発光手段が、波長４０５±５ｎｍの青色光と１つまたは複数の波長６４０ｎｍの赤色光より長波長の光とのうちのいずれかを出力する機能を備えると共に、青色光を前提とした光ディスクにおける情報の記録再生に用いるＮＡの最小値は０．６５であり、長波長の光を前提とした光ディスクにおける情報の記録再生に用いるＮＡが０．６５より小さい条件がある場合に、光ディスク判別手段が、青色光とＮＡ０．６５条件でフォーカスサーチを行ってもよい。
【００３１】
このようにすることで、波長４０５ｎｍの青色光とＮＡ０．８５の対物レンズとを用いた記録再生を前提にした規格のＢｌｕ−ｒａｙ  Ｄｉｓｋと、波長４０５ｎｍの青色光とＮＡ０．６５の対物レンズとを前提にした規格のＨＤ  ＤＶＤと、波長６５０ｎｍの赤色光とＮＡ０．６０の対物レンズとを前提にした規格のＤＶＤと、波長７８０ｎｍの赤外光とＮＡ０．５０の対物レンズをと前提にした規格のＣＤとについて明確に判別でき、それぞれの規格に対応してデータの記録再生を実行することができる。
【００３２】
次に、本発明の光ディスク装置は、波長４０５±５ｎｍの青色光を含む波長が異なる複数のレーザ光のいずれかを出力する発光手段と、実効的開口数（ＮＡ）が異なる１つ以上の対物レンズと、レーザ光のいずれか１つと対物レンズの１つとの組み合わせを用いて光ディスクに集光されたレーザ光の戻り光を検出する光検出器とを備えると共に、１つのレーザ光を１つの対物レンズを介して光ディスクに集光照射させながら当該対物レンズを光軸に沿った方向に移動させて戻り光の変動を光検出器に検出させるフォーカスサーチを行いその結果得られるフォーカスＳ字信号に基づいて光ディスクを判別する光ディスク判別手段を備え、この光ディスク判別手段が、波長４０５±５ｎｍの青色光と、この波長のレーザ光での記録再生を前提にした規格の光ディスクで使用を前提とされているＮＡのうち最も小さいＮＡとを、フォーカスサーチを行うための組み合わせとしたことを特徴とする。
【００３３】
このような光ディスク装置によれば、青色光が選択可能であれば青色光を用い、かつ、この青色光を前提にした光ディスク規格に用いるＮＡのうち最小のＮＡの対物レンズを用いてフォーカスサーチを行うことで、正確にフォーカスＳ字信号を検出することができ、簡潔に光ディスクを判別することができる。波長４０５ｎｍの青色光を用いた記録再生を前提にした規格のＢｌｕ−ｒａｙ  Ｄｉｓｋと、波長４０５ｎｍの青色光を前提にした規格のＨＤ  ＤＶＤとについて明確に判別することができる。
【００３４】
また、この光ディスク装置において、上述した光ディスク判別手段は、光ディスクの光入射面にレーザ光の焦点が位置することを示すフォーカスＳ字信号とそれに最も近い間隔で検出されるフォーカスＳ字信号との時間間隔に基づいて当該光ディスクの種類を判別してもよく、フォーカスＳ字信号の検出数に基づいて光ディスクの情報記録層数を判別してもよい。
【００３５】
このような光ディスクによれば、検出されたフォーカスＳ字信号の間隔を基に光ディスクの基板厚（又はカバー層厚）を推測し、光ディスクの種類を判別することができ、検出されたフォーカスＳ字信号の検出回数を基に光ディスクの情報記録層が単層であるか多層であるかを判別することができる。
【００３６】
また、この光ディスク装置においては、上述した光ディスク判別手段によりフォーカスＳ字信号に基づいて光ディスクの情報記録層数が特定されると、前記光ディスクにおける１つ又は複数の情報記録層のうちの予め決められた情報記録層を検索し媒体種別情報が記憶されているか否かを判定する媒体種別情報検索手段を備えてもよい。また、この媒体種別情報検索手段が、前記光ディスクにおける１つ又は複数の情報記録層のうちの予め決められた情報記録層を検索し媒体種別情報の有無によって当該光ディスクの種類を判別してもよい。また、この媒体種別情報検索手段は、光ディスクにおける媒体種別情報としてＢＣＡを検索してもよい。
【００３７】
このような光ディスク装置によれば、基板厚（又はカバー層厚）が同じで別の種類の光ディスクについての判別が可能となり、媒体種別情報が記憶されていない規格の光ディスクについて判別することができる。
【００３８】
また、この光ディスク装置においては、媒体種別情報検索手段により光ディスクに媒体種別情報が記憶されていると判定された場合に、その媒体種別情報に基づいて当該光ディスクの種類を判別する媒体種別情報読込手段を備えてもよい。このようにすると、光ディスクの種類を正確に判別することができる。
【００３９】
また、この光ディスク装置において、上述した発光手段が、波長４０５±５ｎｍの青色光と１つまたは複数の波長６４０ｎｍの赤色光より長波長の光とのうちのいずれかを出力する機能を備えると共に、青色光を前提とした光ディスクにおける情報の記録再生に用いるＮＡの最小値は０．６５であり、前記長波長の光を前提とした光ディスクにおける情報の記録再生に用いるＮＡが０．６５より小さい条件がある場合に、光ディスク判別手段が、青色光とＮＡ０．６５条件でフォーカスサーチを行ってもよい。
【００４０】
このようにすることで、波長４０５ｎｍの青色光とＮＡ０．８５の対物レンズとを用いた記録再生を前提にした規格のＢｌｕ−ｒａｙ  Ｄｉｓｋと、波長４０５ｎｍの青色光とＮＡ０．６５の対物レンズとを前提にした規格のＨＤ  ＤＶＤと、波長６５０ｎｍの赤色光とＮＡ０．６０の対物レンズとを前提にした規格のＤＶＤと、波長７８０ｎｍの赤外光とＮＡ０．５０の対物レンズをと前提にした規格のＣＤとについて明確に判別でき、それぞれの規格に対応してデータの記録再生を実行することができる。
【００４１】
次に、本発明の媒体種類判別方法は、波長が異なる複数のレーザ光のいずれかを出力する発光手段と、実効的開口数（ＮＡ）が異なる１つ以上の対物レンズと、レーザ光のいずれか１つと対物レンズの１つとの組み合わせを用いて光ディスクに集光されたレーザ光の戻り光を検出する光検出器とを備えた光ディスク装置における媒体種類判別方法であって、光ディスクの光入射面に照射した光量に対するこの光ディスクの光入射面から最も離れた情報記録層で反射した戻り光の光量の比率が最も大きくなる波長のレーザ光と、この波長のレーザ光での記録再生を前提にした規格の光ディスクで使用を前提とされているＮＡのうち最も小さいＮＡとの組み合わせを選択する波長・ＮＡ条件選択工程と、選択された組み合わせにより光ディスクにレーザ光を集光照射させながら選択された対物レンズを光軸に沿った方向に移動させて戻り光の変動を光検出器に検出させるフォーカスサーチを行うフォーカスサーチ工程と、フォーカスサーチにおいて検出されるフォーカスＳ字信号に基づいて光ディスクを判別する光ディスク判別工程とを設けたことを特徴とする。
【００４２】
また、上記の媒体種類判別方法において、上述した光ディスク判別工程では、光ディスクの光入射面にレーザ光の焦点が位置することを示すフォーカスＳ字信号とそれに最も近い間隔で検出されるフォーカスＳ字信号との時間間隔に基づいて当該光ディスクの種類を判別してもよい。
【００４３】
また、上記の媒体種類判別方法において、上述した光ディスク判別工程では、フォーカスＳ字信号の検出数に基づいて光ディスクの情報記録層数を判別してもよい。
【００４４】
また、上記の媒体種類判別方法において、上述した光ディスク判別工程によりフォーカスＳ字信号に基づいて光ディスクの情報記録層数が特定されると、前記光ディスクにおける１つ又は複数の情報記録層のうちの予め決められた情報記録層を検索し媒体種別情報が記憶されているか否かを判定する媒体種別情報検索工程を設けてもよい。
【００４５】
また、上記の媒体種類判別方法において、上述した媒体種別情報検索工程では、光ディスクにおける１つ又は複数の情報記録層のうちの予め決められた情報記録層を検索し媒体種別情報の有無によって当該光ディスクの種類を判別してもよい。
【００４６】
また、上記の媒体種類判別方法において、上述した媒体種別情報検索工程により光ディスクに媒体種別情報が記憶されていると判定された場合に、その媒体種別情報に基づいて光ディスクの種類を判別する媒体種別情報読込工程を設けてもよい。
【００４７】
また、上記の媒体種類判別方法において、上述した媒体種別情報検索工程では、光ディスクにおける媒体種別情報としてＢＣＡ（ｂｕｒｓｔ  ｃｕｔｔｉｎｇ  ａｒｅａ）を検索してもよい。
【００４８】
また、上記の媒体種類判別方法において、発光手段が、波長４０５±５ｎｍの青色光を含む波長が異なる複数のレーザ光のいずれかを出力する機能を備え、上述した波長・ＮＡ条件選択工程では、波長４０５±５ｎｍの青色光と、この波長のレーザ光での記録再生を前提にした規格の光ディスクで使用を前提とされているＮＡのうち最も小さいＮＡとの組み合わせを選択してもよい。
【００４９】
また、上記の媒体種類判別方法において、発光手段が、波長４０５±５ｎｍの青色光と１つまたは複数の波長６４０ｎｍの赤色光より長波長の光とのうちのいずれかを出力する機能を備え、上述した波長・ＮＡ条件選択工程では、青色光を選択してもよい。
【００５０】
また、上記の媒体種類判別方法において、発光手段が、波長４０５±５ｎｍの青色光と１つまたは複数の波長６４０ｎｍの赤色光より長波長の光とのうちのいずれかを出力する機能を備え、上述した波長・ＮＡ条件選択工程では、青色光を前提とした光ディスクにおける情報の記録再生に用いるＮＡの最小値は０．６５であり、長波長の光を前提とした光ディスクにおける情報の記録再生に用いるＮＡが０．６５より小さい条件がある場合に、青色光とＮＡ０．６５条件を選択してもよい。
【００５１】
このような媒体種類判別方法によれば、上記の光ディスク装置と同様に、光ディスクの光入射面から最も離れた記録層での実効反射率を最大にする波長のレーザ光を用い、かつ、この波長のレーザ光を前提にした光ディスク規格に用いるＮＡのうち最小のＮＡの対物レンズを用いてフォーカスサーチを行うことで、正確にフォーカスＳ字信号を検出することができ、光ディスクの種類及び記録層数を明確に判別することができる。
【００５２】
次に、本発明の媒体種類判別方法は、波長４０５±５ｎｍの青色光を含む波長が異なる複数のレーザ光のいずれかを出力する発光手段と、実効的開口数（ＮＡ）が異なる１つ以上の対物レンズと、レーザ光のいずれか１つと対物レンズの１つとの組み合わせを用いて光ディスクに集光されたレーザ光の戻り光を検出する光検出器とを備えた光ディスク装置における媒体種類判別方法であって、波長４０５±５ｎｍの青色光と、この波長のレーザ光での記録再生を前提にした規格の光ディスクで使用を前提とされているＮＡのうち最も小さいＮＡとの組み合わせを複数のレーザ光と複数の対物レンズとから選択する波長・ＮＡ条件選択工程と、選択された組み合わせにより光ディスクに青色光を集光照射させながら選択された対物レンズを光軸に沿った方向に移動させて戻り光の変動を光検出器に検出させるフォーカスサーチを行うフォーカスサーチ工程と、フォーカスサーチにおいて検出されるフォーカスＳ字信号に基づいて光ディスクを判別する光ディスク判別工程とを設けたことを特徴とする。
【００５３】
また、上記の媒体種類判別方法において、上述した光ディスク判別工程では、光ディスクの光入射面にレーザ光の焦点が位置することを示すフォーカスＳ字信号とそれに最も近い間隔で検出されるフォーカスＳ字信号との時間間隔に基づいて当該光ディスクの種類を判別してもよい。
【００５４】
また、上記の媒体種類判別方法において、上述した光ディスク判別工程では、フォーカスＳ字信号の検出数に基づいて光ディスクの情報記録層数を判別してもよい。
【００５５】
また、上記の媒体種類判別方法においては、上述した光ディスク判別工程によりフォーカスＳ字信号に基づいて光ディスクの情報記録層数が特定されると、前記光ディスクにおける１つ又は複数の情報記録層のうちの予め決められた情報記録層を検索し媒体種別情報が記憶されているか否かを判定する媒体種別情報検索工程を設けてもよい。
【００５６】
また、上記の媒体種類判別方法において、上述した媒体種別情報検索工程では、光ディスクにおける１つ又は複数の情報記録層のうちの予め決められた情報記録層を検索し媒体種別情報の有無によって当該光ディスクの種類を判別してもよい。
【００５７】
また、上記の媒体種類判別方法において、上述した媒体種別情報検索工程により光ディスクに媒体種別情報が記憶されていると判定された場合に、その媒体種別情報に基づいて光ディスクの種類を判別する媒体種別情報読込工程を設けてもよい。
【００５８】
また、上記の媒体種類判別方法において、上述した媒体種別情報検索工程では、光ディスクにおける媒体種別情報としてＢＣＡを検索してもよい。
【００５９】
また、上記の媒体種類判別方法において、上述した発光手段が、波長４０５±５ｎｍの青色光と１つまたは複数の波長６４０ｎｍの赤色光より長波長の光とのうちのいずれかを出力する機能を備え、波長・ＮＡ条件選択工程では、青色光を前提とした光ディスクにおける情報の記録再生に用いるＮＡの最小値は０．６５であり、長波長の光を前提とした光ディスクにおける情報の記録再生に用いるＮＡが０．６５より小さい条件がある場合に、青色光とＮＡ０．６５条件とを選択してもよい。
【００６０】
このようにすることで、波長４０５ｎｍの青色光とＮＡ０．８５の対物レンズとを用いた記録再生を前提にした規格のＢｌｕ−ｒａｙ  Ｄｉｓｋと、波長４０５ｎｍの青色光とＮＡ０．６５の対物レンズとを前提にした規格のＨＤ  ＤＶＤと、波長６５０ｎｍの赤色光とＮＡ０．６０の対物レンズとを前提にした規格のＤＶＤと、波長７８０ｎｍの赤外光とＮＡ０．５０の対物レンズをと前提にした規格のＣＤとについて明確に判別でき、それぞれの規格に対応してデータの記録再生を実行することができる。
【発明の効果】
【００６１】
本発明は以上のように構成され機能するため、これにより、情報の記録再生に使用される光の波長及び対物レンズの実効的開口数（ＮＡ）が異なる規格の光ディスクそれぞれに対して情報の記録又は再生を行う光ディスク装置において、光ディスクの光入射面から最も離れた記録層での実効反射率を最大にする波長のレーザ光を用い、かつ、この波長のレーザ光を前提にした光ディスク規格に用いるＮＡのうち最小のＮＡの対物レンズを用いてフォーカスサーチを行うことにより、光ディスクの種類及び記録層数を明確に検出することができる。
【発明を実施するための最良の形態】
【００６２】
以下、本発明における一実施形態を、図面を参照して説明する。
【００６３】
［第１実施形態］
図１は、本発明にかかる第１実施形態の光ディスク装置の構成を示す図である。
【００６４】
本第１実施形態の光ディスク装置は、波長４０５ｎｍの青色光と実効的開口数（対物レンズの形状と対物レンズへの入射光のビーム径によって決定する開口数である。以下、ＮＡとする。）が０．８５の対物レンズとを用いたデータの記録再生を前提にした規格のＢｌｕ−ｒａｙ  Ｄｉｓｋ（以下、ＢＤとする）と、波長４０５ｎｍの青色光とＮＡ０．６５の対物レンズとを前提にした規格のＨＤ  ＤＶＤと、波長６５０ｎｍの赤色光とＮＡ０．６０の対物レンズを前提にした規格のＤＶＤとに対応してデータを記録再生する光ディスク装置である。ここで、ＤＶＤではＮＡ０．６０条件を用いるのが一般的であり、ＨＤ  ＤＶＤで使用されるＮＡ０．６５と同じにする必要は無い。
【００６５】
＜構成＞
図１に示すように、本第１実施形態の光ディスク装置は、波長が異なる複数のレーザ光のいずれかを出力する発光手段として、波長６５０ｎｍの赤色光を発光するレーザーモジュール（１４）と波長４０５ｎｍの青色光を発光するレーザーモジュール（１５）とを備え、ＮＡが異なる複数の対物レンズであるＨＤ  ＤＶＤ・ＤＶＤ用対物レンズ（１９）及びＢＤ用対物レンズ（２０）を搭載した対物レンズアクチュエータ（１２）を備えている。
【００６６】
レーザーモジュール（１４）及びレーザーモジュール（１５）それぞれは光検出器を内蔵しており、ＨＤ  ＤＶＤ・ＤＶＤ用対物レンズ（１９）及びＢＤ用対物レンズ（２０）のいずれか１つにより光ディスク（１）上に集光されたレーザ光の戻り光を検出する機能を備えている。
【００６７】
本第１実施形態の光ディスク装置は、さらに、ミラー駆動モータ（１３）によって図１の左右に移動可能な立ち上げミラー（１１）を備え、この立ち上げミラー（１１）は、レーザーモジュール（１４）又はレーザーモジュール（１５）からの光を対物レンズアクチュエータ（１２）内のＨＤ  ＤＶＤ・ＤＶＤ用対物レンズ（１９）又はＢＤ用対物レンズ（２０）に導く機能を有している。
【００６８】
立ち上げミラー（１１）をミラー駆動モータ（１３）で動かして、光をＨＤ  ＤＶＤ・ＤＶＤ用対物レンズ（１９）又はＢＤ用対物レンズ（２０）に導くことによって、光ディスク（１）の種類に応じたＮＡのレンズに切り替えることができる。
【００６９】
またさらに、本第１実施形態の光ディスク装置は、レンズ駆動モータ（２３）によって移動可能な凹レンズ（２１）を備えると共に凸レンズ（２２）を備え、凹レンズ（２１）と凸レンズ（２２）とのレンズ間距離を変更調整することにより光ディスク（１）上の焦点位置を光軸上に沿って変化させて球面収差調整が行われる。
【００７０】
本第１実施形態の光ディスク装置においては、レーザーモジュール（１５）からの青色光は、予め備えたビームスプリッター（１７）を透過し、球面収差補正用の凹レンズ（２１）及び凸レンズ（２２）を透過し、立ち上げミラー（１１）で反射される。一方、レーザーモジュール（１４）からの赤色光は、ビームスプリッター（１７）で反射された後、球面収差補正用の凹レンズ（２１）及び凸レンズ（２２）を透過し、立ち上げミラー（１１）で反射される。
【００７１】
立ち上げミラー（１１）で反射された光は、ＨＤ  ＤＶＤ・ＤＶＤ用対物レンズ（１９）又はＢＤ用対物レンズ（２０）のいずれかによって集光され光ディスク（１）上に焦点を結ぶ。光ディスク（１）上で反射された光は、ＨＤ  ＤＶＤ・ＤＶＤ用対物レンズ（１９）またはＢＤ用対物レンズ（２０）のいずれかを透過し、立ち上げミラー（１１）で反射し、球面収差補正用の凸レンズ（２２）及び凹レンズ（２１）を透過し、ビームスプリッター（１７）に導かれる。
【００７２】
そして、レーザーモジュール（１５）から出射した青色光の戻り光は、ビームスプリッター（１７）を透過し、レーザーモジュール（１５）内の光検出器にて受光され、電気信号に変換される。一方、レーザーモジュール（１４）から出射した赤色光の戻り光は、ビームスプリッター（１７）で反射され、レーザーモジュール（１４）内の光検出器にて受光され、電気信号に変換される。
【００７３】
本第１実施形態の光ディスク装置は、さらに、レーザーモジュール（１４）及びレーザーモジュール（１５）に内蔵された光検出器の出力信号からサーボエラー信号およびＢＣＡ信号を生成するＲＦ回路部（７）と、ＲＦ回路部（７）からのサーボエラー信号に基づいて対物レンズアクチュエータ（１２）と光ディスク（１）との位置を制御する制御信号を生成するサーボコントローラ（４）と、この制御信号に従って対物レンズアクチュエータ（１２）を駆動するサーボ駆動系（３）とを備えている。
【００７４】
サーボ駆動系（３）は、スピンドルモータ（２）を回転させ、スピンドルモータ（２）に取り付けられた光ディスク（１）を回転させるとともに、ミラー駆動モータ（１３），レンズ駆動モータ（２３），スレッドモータ（８）の駆動も行う。
【００７５】
対物レンズアクチュエータ（１２），立ち上げミラー（１１），ミラー駆動モータ（１３），凸レンズ（２２），凹レンズ（２１），レンズ駆動モータ（２３），ビームスプリッタ（１７），レーザーモジュール（１４），レーザーモジュール（１５）が光ヘッド（９）を構成しており、この光ヘッド（９）は、スレッドモータ（８）によって光ディスク（１）の半径方向に移動可能である。
【００７６】
また、ＨＤ  ＤＶＤ・ＤＶＤ用対物レンズ（１９）が、波長４０５ｎｍの青色光に対してはＮＡ０．６５、波長６５０ｎｍの赤色光に対してはＮＡ０．６０になるように、または、ＢＤ用対物レンズ（２０）がＮＡ０．８５となるように、対物レンズ（１９）又は対物レンズ（２０）への入射光のビーム径を波長に応じて特定されるように光ヘッド（９）内の光学系が構成されている。このような光学系の構成は、特開２００１‐４３５５９号公報に開示されている。
【００７７】
さらに、本第１実施形態の光ディスク装置は、システムコントローラ（５）とＬＤ駆動系（６）とを備え、ＬＤ駆動系（６）は、レーザーモジュール（１４）及びレーザーモジュール（１５）の発光又は消光を制御し、システムコントローラ（５）は、ＬＤ駆動系（６），サーボコントローラ（４）を制御して光ディスク装置の動作を統括する機能を有している。
【００７８】
本第１実施形態の光ディスク装置においては、光ディスク（１）がスピンドルモータ（２）にチャッキングされると、システムコントローラ（５）がＬＤ駆動系（６）及びサーボコントローラ（４）を制御することで、レーザーモジュール（１５）からのレーザ光をＨＤ  ＤＶＤ・ＤＶＤ用対物レンズ（１９）により光ディスク（１）に集光照射させながら対物レンズアクチュエータ（１２）を光軸に沿った方向に移動させてフォーカスサーチを実行する。このとき、システムコントローラ（５）は、レーザーモジュール（１５）とＨＤ  ＤＶＤ・ＤＶＤ用対物レンズ（１９）と選択し、この組み合わせによってフォーカスサーチが実行されるようにＬＤ駆動系（６）及びサーボコントローラ（４）を制御する。
【００７９】
サーボコントローラ（４）は、フォーカスサーチの実行によりＲＦ回路部（７）で生成されるフォーカスエラー信号を入力してフォーカスＳ字信号を検出しこのフォーカスＳ字信号に基づいて光ディスク（１）を判別する光ディスク判別手段としての機能と、その判別結果に従って対物レンズアクチュエータ（１２）と光ディスク（１）との位置を制御する制御信号を生成しサーボ駆動系（３）へ出力する機能とを有している。
【００８０】
光ディスク（１）の記録層には、媒体種別情報を記録した領域としてＢＣＡ（Ｂｕｒｓｔ  Ｃｕｔｔｉｎｇ  Ａｒｅａ）が設けられている場合があり、フォーカスＳ字信号に基づいて光ディスクの情報記録層数が特定されると、システムコントローラ（５）は、ＬＤ駆動系（６），サーボコントローラ（４）を制御して、光ディスク（１）における１つ又は複数の情報記録層のうちの特定の情報記録層に存在するＢＣＡを検索して媒体種別情報が記憶されているか否かを判定し、媒体種別情報の有無によって光ディスク（１）の種類を判別する媒体種別情報検索手段としての機能と、ＢＣＡに媒体種別情報が記憶されている場合に媒体種別情報を読み込み光ディスク（１）の種類を判別する媒体種別情報読込手段としての機能とを有している。
【００８１】
ここで、上述したシステムコントローラ（５）及びサーボコントローラ（４）については、その機能内容をプログラム化し、コンピュータに実行させるように構成してもよい。
【００８２】
本第１実施形態の光ディスク装置においては、基板厚０．６ｍｍのＨＤ  ＤＶＤ及びＤＶＤ用としてレーザ光を記録層に合焦させた時のレンズ表面から光ディスク（１）の表面までの距離であるワーキングディスタンス（以下、ＷＤとする）を１．５ｍｍとする対物レンズ（１９）を用い、カバー層厚０．１ｍｍのＢＤ用としてＷＤを０．７ｍｍとする対物レンズ（２０）を用いている。
【００８３】
ここで、特許文献１では、ＢＤ用対物レンズのＷＤを０．５ｍｍとしており、この場合、ＢＤのカバー層厚が０．１ｍｍなので、ＢＤ用対物レンズではレンズの表面から光の焦点までの光軸上の距離が０．６ｍｍとなり、ＨＤ  ＤＶＤやＤＶＤの基板厚０．６ｍｍと一致してしまう。よって、ＢＤ用対物レンズでフォーカスサーチを行い、ＨＤ  ＤＶＤやＤＶＤの記録層を検出しようとすると対物レンズが光ディスク（１）の表面に衝突してしまうと言及している。
【００８４】
一般に対物レンズは、ＷＤが大きいほどフォーカスサーチ時に光ディスク表面に衝突する可能性が低くなる。そのため、年々より大きいＷＤの対物レンズが開発されている。近年ではＢＤ用ＮＡ０．８５対物レンズでもＷＤがＨＤ  ＤＶＤやＤＶＤの基板厚０．６ｍｍを超えるようになり、フォーカスサーチ時に基板厚０．６ｍｍのＨＤ  ＤＶＤやＤＶＤの表面に衝突することなくＨＤ  ＤＶＤやＤＶＤの記録層を検出できるようになった。しかし、ＢＤ用ＮＡ０．８５対物レンズのＷＤはＣＤの基板厚１．２ｍｍには到達していない。
【００８５】
本第１実施形態の光ディスク装置は、レーザーモジュール（１４）からの波長６５０ｎｍの赤色光、レーザーモジュール（１５）からの波長４０５ｎｍの青色光のうち波長４０５ｎｍの青色光を用いてフォーカスサーチを実行する。波長４０５ｎｍの青色光を用いる理由は、光ディスク（１）の表面および記録層にてフォーカスＳ字信号が明確に検出でき、かつ記録層数の判別が安定に行えるためである。
【００８６】
ここで、波長４０５ｎｍの青色光を用いることで青色光の使用を前提としているＢＤ，ＨＤ  ＤＶＤだけでなく波長６５０ｎｍの赤色光の使用を前提にしたＤＶＤでもディスクの表面および記録層にてフォーカスＳ字信号が検出できる理由を説明する。
【００８７】
＜フォーカスサーチに用いるレーザ光と対物レンズについての説明＞
ＢＤ，ＨＤ  ＤＶＤ，ＤＶＤともに光の入射面からの構造は、１層光ディスクの場合、基板（ＢＤではカバー層）、記録層の順であり、２層光ディスクの場合、基板（ＢＤではカバー層）、１層目記録層、中間層、２層目記録層に順である。
【００８８】
各光ディスクにおいて光入射面で発生するフォーカスＳ字信号について説明すると、ＢＤ，ＨＤ  ＤＶＤ，ＤＶＤともに基板又はカバー層は、ポリカーボネイトに代表される樹脂であるので、光の透過率は青色光と赤色光とで差はなくほぼ一定であり、光の波長によってフォーカスＳ字信号の発生に影響はない。波長４０５ｎｍの青色光を入射した場合、ＢＤ，ＨＤ  ＤＶＤにおいて光入射面でのフォーカスＳ字信号が検出できるということは、ＤＶＤでも光入射面でのフォーカスＳ字信号が検出できる。
【００８９】
一方で、各光ディスクにおいて記録層で発生するフォーカスＳ字信号について説明すると、ＢＤ，ＨＤ  ＤＶＤ，ＤＶＤにおける記録層はともに光の波長によって光透過率や反射率が変化するため、入射光の波長がフォーカスＳ字信号の発生に影響を与える。
【００９０】
ＢＤ，ＨＤ  ＤＶＤの２層媒体に波長４０５ｎｍの青色光を照射すると、１層目記録層及び２層目記録層の２つの記録層を確実に認識できる。しかし、ＢＤ，ＨＤ  ＤＶＤの２層媒体にＤＶＤ用の波長６５０ｎｍの赤色光を照射した場合は、２層目記録層（光入射面から最も離れた情報記録層）でのフォーカスＳ字信号がほぼ検出できないので、ＢＤ，ＨＤ  ＤＶＤの２層媒体を１層媒体と誤判断してしまう。
【００９１】
これは青色光に対して１層目記録層は５０％以上の透過率であるとすると、赤色光に対して１層目記録層は３０％程度の透過率となるためである。２層目記録層からの戻り光は入射時と反射時の２回１層目記録層を通過するので、光ヘッド（９）にて検出される２層目記録層の実効反射率は、２層目記録層の反射率を１００％としても、青色光の場合は１層目記録層１回通過毎に５０％に低減されるためほぼ２５％となるが、赤色光の場合は１層目記録層１回通過毎に３０％に低減されるため９％程度にしかならない。
【００９２】
ここで、実効反射率とは、基板またはカバー層の光入射面から目標の記録層に光を照射した際に、基板またはカバー層に照射した光量に対する目標の記録層で反射して基板またはカバー層から出射される光量の比率である。
【００９３】
また、青色光よりも短波長の光をＢＤ，ＨＤ  ＤＶＤの２層媒体に照射した場合は、青色光の場合よりも１層目記録層の透過率は向上する。しかし、例えば、１層目記録層での透過率がΔα％（Δα＞０）向上とすると、２層目記録層の反射率は逆にΔα％程度低下する。更に、基板またはカバー層として使われるポリカーボネイトに代表される樹脂の光透過率は、短波長になるほど低下し波長３５０ｎｍでは１層目記録層の透過率の向上と相反してポリカーボネイトに代表される樹脂の透過率は低下（−Δα％）し、波長２００ｎｍでは透過率０％、即ち、透過しないことになる。
【００９４】
ＢＤ，ＨＤ  ＤＶＤの２層媒体に波長３５０ｎｍの光を照射した場合、１層目記録層の透過率はΔα％増加するが、ポリカーボネイトに代表される樹脂の透過率はΔα％低下となり、透過率変化はキャンセルされ２層目記録層の実効反射率は青色光の場合での実効反射率よりΔα％程度低下する。
【００９５】
このように、青色光を前提に作成されたＢＤ，ＨＤ  ＤＶＤの２層媒体に対して青色光より短波長の光を照射した場合、２層目記録層の実効反射率が低下するため、フォーカスＳ字信号振幅も青色光使用時より低下し、フォーカスＳ字信号が検出できない恐れがある。
【００９６】
ＤＶＤは波長６５０ｎｍの赤色光の使用を前提とした規格なので、赤色光を入射した場合、記録層でのフォーカスＳ字信号が明確に検出できる。一方、赤色光よりも短波長である青色光をＤＶＤの１層媒体や２層媒体の１層目記録層に集光照射すると、この１層目記録層での反射率は赤色光の場合よりも低下する。例えば、１層目記録層での反射率がΔＡ％（ΔＡ＞０）低下とすると、青色光をＤＶＤに集光照射した場合の１層目記録層の実効反射率は、赤色光の場合よりΔＡ％程度低下する。
【００９７】
ＤＶＤにおいて、青色光の場合の１層目記録層の実効反射率は、赤色光の場合に比べてΔＡ％減少すると半分程度小さくなるが、０％にはならない。フォーカスＳ字信号は各記録層の実効反射率に比例した振幅で発生するので、青色光の場合の実効反射率が０％ではないなら、青色光をＤＶＤの１層媒体や２層媒体の１層目記録層に集光照射すると、１層目記録層でのフォーカスＳ字信号を検出することができる。
【００９８】
また、青色光をＤＶＤの２層媒体の２層目記録層に集光照射する場合は、赤色光の場合よりも１層記録層の透過率は反射率とは逆にΔＡ％向上し、２層目記録層の反射率はΔＡ％低下する。２層目記録層からの戻り光は入射時と反射時の２回１層目記録層を通過ので、青色光の場合の２層目記録層の実効反射率は、赤色光の場合の実効反射率よりΔＡ％程度上昇する。よって、青色光をＤＶＤの２層媒体の２層記録層に集光照射すると、２層目記録層でのフォーカスＳ字信号を検出することができる。
【００９９】
このように、波長６５０ｎｍの赤色光にてフォーカスサーチを行うと、青色光の使用を前提にしたＢＤ，ＨＤ  ＤＶＤに場合はフォーカスＳ字信号が検出できない恐れがあるが、波長４０５ｎｍの青色光にてフォーカスサーチを行うと、ＢＤ，ＨＤ  ＤＶＤだけでなく赤色光の使用を前提にしたＤＶＤでもディスク表面及び記録層にてフォーカスＳ字信号が検出できる。よって、本第１実施形態においては、波長４０５ｎｍの青色光を用いてフォーカスサーチを実行する。
【０１００】
次に、ＢＤ，ＨＤ  ＤＶＤ，ＤＶＤのいずれかの場合においても、ＢＣＡリードに波長４０５ｎｍの青色光を用いるのが有効である理由について説明する。
【０１０１】
一般に光ディスク（１）の記録層には、ＢＣＡ（Ｂｕｒｓｔ  Ｃｕｔｔｉｎｇ  Ａｒｅａ）が設けられおり、このＢＣＡに媒体種別情報が記録されている場合がある。
【０１０２】
ＢＣＡは、ＢＤ，ＨＤ  ＤＶＤには形成されているが、ＤＶＤにおいては形成されているものとされていないものがある。ＢＣＡ信号の抽出は、例えば、媒体上の記録領域にて光ヘッド（９）から出力される光量和（ＳＵＭ）信号を、ＳＵＭ信号のピークとボトムの中間レベルのスレッショルドにて２値化することで得られる。
【０１０３】
抽出されたＢＣＡ信号に含まれる媒体種別情報から媒体判別を行うが、青色光を前提に作成されたＢＤ，ＨＤ  ＤＶＤの複数層媒体においてＢＣＡが光入射面から最も離れた記録層に有る場合に、青色光以外の光を媒体に照射してＢＣＡ信号を抽出すると、ＳＵＭ信号のピークとボトムの差が小さくなり、ＢＣＡ信号の抽出に失敗するという問題点がある。これは青色光以外の光を媒体に照射するとフォーカスＳ字信号振幅が低下するのと同様の理由によるものである。
【０１０４】
ＢＤ，ＨＤ  ＤＶＤの２層媒体に青色光を照射した場合は、２層目記録層の反射率を１００％としても、２層目記録層の実効反射率は２５％程度になるが、赤色光の場合は９％程度にしかならない。このため、赤色光を照射すると２層目記録層のＳＵＭ信号のピークとボトムの差は微小でＳＵＭ信号からＢＣＡ信号を抽出するのが極めて難しくなる。
【０１０５】
また、ＢＤ，ＨＤ  ＤＶＤの２層媒体では青色光より短波長な光を照射した場合、フォーカスＳ字信号の検出についてと同様の理由により、２層目記録層の実効反射率が低下するため、２層目記録層のＳＵＭ信号のピークとボトムの差は青色光照射の場合より小さくなり、ＳＵＭ信号からＢＣＡ信号を抽出するのが難しくなる。
【０１０６】
ＤＶＤの２層媒体では赤色光より短波長な青色光を照射した場合、２層目記録層の実効反射率が上昇するため、２層目記録層のＳＵＭ信号のピークとボトムの差が増大し安定してＳＵＭ信号からＢＣＡ信号を抽出することができる。
【０１０７】
以上により、波長４０５ｎｍの青色光、波長６５０ｎｍの赤色光と複数の波長を用いる光ディスク装置の場合、複数層媒体の光入射面から最も離れた記録層での実効反射率が最大となる波長の光（本第１実施形態の場合波長４０５ｎｍの青色光）を用いてフォーカスサーチすることで、記録層数を安定して判別することができる。また、ＢＣＡリードにおいても、複数層媒体の光入射面から最も離れた記録層での実効反射率が最大となる波長の光である波長４０５ｎｍの青色光を用いることで安定したリードを実行できる。
【０１０８】
次に、波長４０５ｎｍの青色光を前提にした規格の光ディスク（１）のＢＤ，ＨＤ  ＤＶＤに対して用いる対物レンズのＮＡは、ＮＡ０．６５とＮＡ０．８５の２条件であるが、ＮＡ０．６５とＮＡ０．８５の両条件についてフォーカスサーチ時のフォーカスエラー信号がどのように観測されるかについて説明する。
【０１０９】
図４は、波長４０５ｎｍの青色光によるフォーカスサーチ時、ＮＡ０．６５レンズ（１９）とＮＡ０．８５レンズ（２０）とのＮＡの相違による光ディスク（１）でのフォーカスＳ字信号波形を示す図である。球面収差は基板厚と光の波長の４乗に比例して発生する。
【０１１０】
図４の（イ）は、ＮＡ０．８５条件にて球面収差を１層目記録層に最適になるよう凹レンズ（２１）を動かして球面収差調整を行った場合を示す。図４（イ）では、球面収差調整の結果１層目記録層でのフォーカスＳ字信号の振幅が大きくなっているが、２層目記録層では中間層厚（ＢＤやＨＤ  ＤＶＤでは２５ｕｍ）分１層目記録層からずれているので球面収差が発生しフォーカスＳ字信号の振幅が１層目記録層でのフォーカスＳ字信号に比べて小さくなり、光入射面でのフォーカスＳ字信号の振幅よりも小さくなる場合がある。
【０１１１】
図４の（ウ）は、ＮＡ０．８５条件にて球面収差を２層目記録層に最適になるよう凹レンズ（２１）を動かして球面収差調整を行った場合を示す。図４（ウ）では、球面収差調整の結果２層目記録層でのフォーカスＳ字信号の振幅が大きくなっているが、１層目記録層では球面収差が発生しフォーカスＳ字信号の振幅が２層目記録層でのフォーカスＳ字信号に比べて小さくなり、光入射面でのフォーカスＳ字信号の振幅よりも小さくなる場合がある。
【０１１２】
一方、図４の（ア）は、ＮＡ０．６５条件の場合を示しており、ＮＡ０．８５よりＮＡが小さいので球面収差の影響が小さく、球面収差を１層目、２層目のどちらで最適にしても、１層目、２層目のフォーカスＳ字信号の振幅はほぼ同等である。
【０１１３】
フォーカスサーチでは、予め定められたスレッショルドを設けてフォーカスエラー信号のゲインを徐々に上げていき、光ディスク（１）の表面や記録層にてフォーカスエラー信号スレッショルドを越えたかでフォーカスＳ字信号の存在をサーチする。
【０１１４】
球面収差の影響の少ないＮＡ０．６５条件にてフォーカスサーチをする場合、光ディスク（１）の表面のフォーカスＳ字信号が検出でき、更に記録層の１層目か２層目のどちらかの層のフォーカスＳ字信号が見つかれば、もう一方の層のフォーカスＳ字信号も振幅がほぼ同等なので記録層数を確実に判別できる。
【０１１５】
一方、球面収差の影響を受けるＮＡ０．８５条件にてフォーカスサーチをする場合、光ディスク（１）の表面のフォーカスＳ字信号が検出でき、記録層の１層目か２層目のどちらかの層のフォーカスＳ字信号が検出できても、もう一方の層のフォーカスＳ字信号の振幅は小さい可能性があり、更にフォーカスエラー信号のゲインを上げて２層目なのか１層目なのか判断せねばならず、フォーカスエラー信号のゲインを上げることで信号のノイズレベルも上昇し、記録層数を誤検出する可能性が増大する。
【０１１６】
よって、本第１実施形態では、波長４０５ｎｍの青色光によるフォーカスサーチの際、ＮＡ０．６５とＮＡ０．８５の両条件のうち、記録層数を安定して検出できるＮＡ０．６５条件を選択して用いている。
【０１１７】
＜動作＞
次に、本第１実施形態の光ディスク装置において、波長４０５ｎｍの青色光とこの青色光に対してＮＡ０．６５の対物レンズ（１９）を用いて、ＢＤ，ＨＤ  ＤＶＤ，ＤＶＤの媒体種類判別のためフォーカスサーチから媒体種類判別後のフォーカスサーボ引き込み前までの動作を説明する。
【０１１８】
図５は、本第１実施形態の光ディスク装置において、ＢＤ，ＨＤ  ＤＶＤ，ＤＶＤの媒体種類判別のためフォーカスサーチから媒体種類判別後のフォーカスサーボ引き込み前までの動作を示すフローチャートである。ここで、本発明の媒体種類判別方法についてもその各工程を示して説明する。
【０１１９】
まず、ＢＤ，ＨＤ  ＤＶＤ，ＤＶＤのいずれかの光ディスク（１）がスピンドルモータ（２）にチャッキングされた状態でスピンドルモータ（２）を回転させる。
【０１２０】
レーザーモジュール（１４）を発光停止にさせて、レーザーモジュール（１５）に対して波長４０５ｎｍの青色光を発光させ、立ち上げミラー（１１）を移動させて、青色光をＨＤ  ＤＶＤ・ＤＶＤ用対物レンズ（１９）に導く（図５：ステップＳ１，波長・ＮＡ条件選択工程）。
【０１２１】
球面収差用凹レンズ（２１）を予め定められた初期位置、例えば、ＨＤ  ＤＶＤの１層目記録層でのフォーカスＳ字信号振幅を最大にする位置に移動させる。
【０１２２】
青色光を光ディスク（１）に集光照射させながら、対物レンズアクチュエータ（１２）をフォーカス方向に等速で移動させ戻り光の変動をレーザーモジュール（１５）内の光検出器に検出させてフォーカスサーチを実行する（図５：ステップＳ２，フォーカスサーチ工程）。
【０１２３】
サーボコントローラ（４）が、ＲＦ回路部（７）からのフォーカスエラー信号においてフォーカスＳ字信号が検出されたかを判定し、光ディスク（１）の表面と１層目記録層それぞれで検出されるフォーカスＳ字信号の時間間隔が０．１ｍｍ相当であればＢＤと判別し、０．６ｍｍ相当であればＨＤ  ＤＶＤ又はＤＶＤと判別する。また、フォーカスＳ字信号の出現数が２つであれば１層光ディスク、フォーカスＳ字信号の出現数が３つであれば２層光ディスクと判別する（図５：ステップＳ３〜Ｓ８，光ディスク判別工程）。
【０１２４】
ＢＤと判別した場合、立ち上げミラー（１１）を動かして青色光をＢＤ用対物レンズ（２０）に導く。対物レンズアクチュエータ（１２）をフォーカス方向に等速で移動させ、フォーカスＳ字信号をモニタしながら凹レンズ（２１）を動かし、１層光ディスクであれば１層目記録層のフォーカスＳ字信号振幅を最大にする球面収差調整を行う。また、２層光ディスクであれば１層目と２層目それぞれの記録層のフォーカスＳ字信号振幅を最大にする凹レンズ（２１）位置を求める球面収差調整を行った後、２層目記録層のフォーカスＳ字信号振幅を最大にするよう凹レンズ（２１）位置を設定する（ＢＤでは記録再生する記録層が１層目から２層目、又は２層目から１層目と切替る度にそれぞれの記録層で最適な球面収差に設定しないと安定して記録再生が行えない）。その後、フォーカスサーボ引き込み動作に移る（図５：ステップＳ１７）。
【０１２５】
ＨＤ  ＤＶＤ又はＤＶＤと判別した場合は、スレッドモータ（８）により対物レンズアクチュエータ（１２）を光ディスク（１）における特定の記憶領域であるＢＣＡ（ｂｕｒｓｔ  ｃｕｔｔｉｎｇ  ａｒｅａ）の位置に移動させる。そして、フォーカスサーチにて１層光ディスクと判別された場合は１層目記録層にフォーカスサーボを引き込み、フォーカスサーチにて２層光ディスクと判別された場合は２層目記録層にフォーカスサーボを引き込む。ＲＦ回路（７）にてＲＦ信号中のＢＣＡ信号を検出し、システムコントローラ（５）においてＢＣＡ信号をリードする。ＢＣＡデータが読めない場合はＤＶＤと判別し（媒体種別情報検索工程）、ＢＣＡデータ内の媒体種別情報を読めた場合はそれに基づいてＨＤ  ＤＶＤ又はＤＶＤを判別する（図５：ステップＳ９〜Ｓ１６，媒体種別情報読込工程）。
【０１２６】
ＨＤ  ＤＶＤとＤＶＤの基板厚はともに０．６ｍｍと同じであり、フォーカスサーチではＨＤ  ＤＶＤかＤＶＤかの判別が不可能である。しかし、ＨＤ  ＤＶＤには内周にＢＣＡがあり、ＢＣＡ内に光ディスク（１）の種類を示す媒体種別情報が記録されている。ＤＶＤではＢＣＡがあるものとないものが存在する。よって、ＢＣＡを検索し媒体種別情報を読むことでＨＤ  ＤＶＤかＤＶＤかの判別が可能である。また、ＨＤ  ＤＶＤの１層光ディスクはＢＣＡを１層目記録層に有し、ＨＤ  ＤＶＤの２層光ディスクはＢＣＡを２層目記録層に有しているので、ＨＤ  ＤＶＤとＤＶＤとの判別には記録層数が既知であることが重要である。
【０１２７】
ＨＤ  ＤＶＤと判別した場合は、スレッドモータ（８）により対物レンズアクチュエータ（１２）をデータ領域に移動させ、引き続き記録再生のためのサーボ信号調整を行い、ＤＶＤと判別された場合には、レーザーモジュール（１５）の青色光の発光を停止させ、レーザーモジュール（１４）に対して赤色光を発光させ、フォーカスサーボ引き込み動作に移る（図５：ステップＳ１７）。
【０１２８】
以上から光ディスク（１）において複数層媒体の光入射面から最も離れた記録層での実効反射率を最大にする波長の光（本第１実施形態の場合は青色光）を用い、この波長光を前提にした規格の光ディスク（１）（本第１実施形態の場合はＢＤ，ＨＤ  ＤＶＤ）に用いる対物レンズ（本第１実施形態の場合はＮＡ０．８５又はＮＡ０．６５のレンズ）の中でＮＡの小さい条件（本第１実施形態の場合はＮＡ０．６５）を選択し、ＨＤ  ＤＶＤとＤＶＤに関してはＢＣＡリードを行うことでＢＤ、ＨＤ  ＤＶＤ、ＤＶＤの３つの光ディスクの種類を安定かつ確実に判別することができる。
【０１２９】
次に、ＢＤ及びＤＶＤに対応した光ディスク装置の場合について説明する。
【０１３０】
ＢＤ及びＤＶＤに対応した光ディスク装置の場合も、光ディスク（１）において複数層媒体の光入射面から最も離れた記録層での実効反射率を最大にする波長の光（この場合は青色光）を用い、この光（青色光）を前提に作られた光ディスク（１）（この場合はＢＤ）に用いる対物レンズ（この場合はＮＡ０．８５レンズ（２０））の中でＮＡの小さい条件（この場合はＮＡ０．８５レンズ（２０））を選択する。
【０１３１】
波長４０５ｎｍの青色光とＮＡ０．８５条件の組み合わせで、フォーカスサーチを行い、光ディスク（１）の光入射面と記録層で発生するフォーカスＳ字信号の時間間隔でＢＤとＤＶＤを判別する。
【０１３２】
基板厚０．６ｍｍの光ディスク（１）はＤＶＤしかないのでフォーカスサーチのみでＢＤとＤＶＤの判別ができる。ＮＡ０．８５条件では球面収差の影響で記録層数の判別が確実ではない。しかし、ＢＤでは球面収差調整があるので、そこで記録層数が確実に検出できる。また、ＤＶＤでは１層のコントロールゾーンをリードすることで記録層数情報が得られるので、フォーカスサーチで確実に記録層数を得る必要はない。
【０１３３】
また、波長４０５ｎｍの青色光とＮＡ０．８５レンズの実使用条件を考慮した組み合わせでフォーカスサーチを行っているのでＢＤと判別した場合、波長切替やＮＡ切替がなく短時間で媒体判別から記録再生に移行できる。
【０１３４】
よって、ＢＤ，ＤＶＤに対応した光ディスク装置でも本第１実施形態の媒体種類判別方法を用いることでＢＤとＤＶＤの２つの光ディスクの種類を安定かつ確実に判別できるとともに、実使用条件を考慮した波長の光とＮＡのレンズとの組み合わせにより、ＢＤの場合短時間で媒体判別から記録再生に移行できる。
【０１３５】
［第２実施形態］
次に、本発明にかかる第２実施形態について説明する。
【０１３６】
図６は、本発明にかかる第２実施形態の光ディスク装置の構成を示す図である。図６において、図１に示す第１実施形態と同様の構成要素には同一の符号が付してある。
【０１３７】
本第２実施形態の光ディスク装置は、波長４０５ｎｍの青色光と実効的開口数（対物レンズの形状と対物レンズへの入射光のビーム径によって決定する開口数である。以下、ＮＡとする。）が０．８５の対物レンズとを用いた記録再生を前提にした規格のＢｌｕ−ｒａｙ  Ｄｉｓｋ（以下、ＢＤとする）と、波長４０５ｎｍの青色光とＮＡ０．６５の対物レンズとを前提にした規格のＨＤ  ＤＶＤと、波長６５０ｎｍの赤色光とＮＡ０．６０の対物レンズとを前提にした規格のＤＶＤと、波長７８０ｎｍの赤外光とＮＡ０．５０の対物レンズをと前提にした規格のＣＤとに対応してデータを記録再生する光ディスク装置である。
【０１３８】
＜構成＞
図６に示すように、本第２実施形態の光ディスク装置は、波長が異なる複数のレーザ光のいずれかを出力する発光手段として、波長４０５ｎｍの青色光を発光するレーザーモジュール（１５）と波長６５０ｎｍの赤色光を発光するレーザーモジュール（１４）と波長７８０ｎｍの赤外光を発光するレーザーモジュール（１６）とを備え、ＮＡが異なる複数の対物レンズであるＢＤ用対物レンズ（２０）及びＨＤ  ＤＶＤ・ＤＶＤ・ＣＤ用対物レンズ（２４）を搭載した対物レンズアクチュエータ（１２）を備えている。
【０１３９】
レーザーモジュール（１４）及びレーザーモジュール（１５），レーザーモジュール（１６）それぞれは光検出器を内蔵しており、ＢＤ用対物レンズ（２０）又はＨＤ  ＤＶＤ・ＤＶＤ・ＣＤ用対物レンズ（２４）により光ディスク（１）上に集光されたレーザ光の戻り光を検出する機能を備えている。
【０１４０】
立ち上げミラー（１１）は、ミラー駆動モータ（１３）により図６の左右に移動可能で、レーザーモジュール（１４），レーザーモジュール（１５）及びレーザーモジュール（１６）からの光を対物レンズアクチュエータ（１２）に導く機能を有している。
【０１４１】
立ち上げミラー（１１）をミラー駆動モータ（１３）で動かして、光をＢＤ用対物レンズ（２０）又はＨＤ  ＤＶＤ・ＤＶＤ・ＣＤ用対物レンズ（２４）に導くことによって、光ディスク（１）の規格に応じたＮＡのレンズに切り替えることができる。
【０１４２】
またさらに、本第２実施形態の光ディスク装置は、レンズ駆動モータ（２３）によって移動可能な凹レンズ（２１）を備えると共に凸レンズ（２２）を備え、凹レンズ（２１）と凸レンズ（２２）とのレンズ間距離を変更調整することにより光ディスク（１）上の焦点位置を光軸上で変化させて球面収差調整が行われる。
【０１４３】
本第２実施形態の光ディスク装置においては、レーザーモジュール（１５）からの青色光は、ビームスプリッタ（１７）及びビームスプリッター（１８）を透過し、更に球面収差補正用の凹レンズ（２１）及び凸レンズ（２２）を透過し、立ち上げミラー（１１）で反射される。
【０１４４】
レーザーモジュール（１４）からの赤色光は、ビームスプリッター（１７）で反射された後、ビームスプリッター（１８）を透過し、球面収差補正用の凹レンズ（２１）及び凸レンズ（２２）を透過し、立ち上げミラー（１１）で反射される。
【０１４５】
レーザーモジュール（１６）からの赤外光は、ビームスプリッター（１８）で反射された後、球面収差補正用の凹レンズ（２１）及び凸レンズ（２２）を透過し、立ち上げミラー（１１）で反射される。
【０１４６】
立ち上げミラー（１１）で反射された光は、ミラー駆動モータ（１３）によりＨＤ  ＤＶＤ・ＤＶＤ・ＣＤ用対物レンズ（２４）またはＢＤ用対物レンズ（２０）に導かれ、集光され光ディスク（１）上に焦点を結ぶ。
【０１４７】
光ディスク（１）上で反射された光は、ＢＤ用対物レンズ（２０）またはＨＤ  ＤＶＤ・ＤＶＤ・ＣＤ用対物レンズ（２４）を透過し、立ち上げミラー（１１）で反射し、球面収差補正用の凸レンズ（２２）及び凹レンズ（２１）を透過し、ビームスプリッター（１８）に導かれる。
【０１４８】
レーザーモジュール（１５）からの青色光の場合は、ビームスプリッタ（１８）及びビームスプリッター（１７）を透過し、レーザーモジュール（１５）に内蔵された光検出器に受光され電気信号に変換される。レーザーモジュール（１４）からの赤色光の場合は、ビームスプリッター（１８）を透過後、ビームスプリッター（１７）で反射され、レーザーモジュール（１４）に内蔵された光検出器に受光され電気信号に変換される。レーザーモジュール（１６）からの赤外光の場合は、ビームスプリッター（１８）で反射され、レーザーモジュール（１６）に内蔵された光検出器に受光され電気信号に変換される。
【０１４９】
レーザーモジュール（１４），レーザーモジュール（１５），レーザーモジュール（１６）内の光検出器の出力信号からＲＦ回路部（７）においてサーボエラー信号およびＢＣＡ信号が生成され、サーボコントローラ（４）がサーボエラー信号に基づいて対物レンズアクチュエータ（１２）と光ディスク（１）との位置を制御する制御信号を生成し、サーボ駆動系（３）はサーボコントローラ（４）からの制御信号に従って対物レンズアクチュエータ（１２）を駆動する。
【０１５０】
サーボ駆動系（３）は、スピンドルモータ（２）を回転させ、スピンドルモータ（２）に取り付けられた光ディスク（１）を回転させるとともに、ミラー駆動モータ（１３），レンズ駆動モータ（２３），スレッドモータ（８）の駆動も行う。
【０１５１】
対物レンズアクチュエータ（１２），立ち上げミラー（１１），ミラー駆動モータ（１３），凸レンズ（２２），凹レンズ（２１），レンズ駆動モータ（２３），ビームスプリッタ（１７），ビームスプリッタ（１８），レーザーモジュール（１４），レーザーモジュール（１５），レーザーモジュール（１６）が光ヘッド（９）を構成しており、光ヘッド（９）は、スレッドモータ（８）によって光ディスク（１）の半径方向に移動可能である。
【０１５２】
また、ＨＤ  ＤＶＤ・ＤＶＤ・ＣＤ用対物レンズ（２４）が、波長４０５ｎｍの青色光に対してはＮＡ０．６５、波長６５０ｎｍの赤色光に対してはＮＡ０．６０、波長７８０ｎｍの赤外光に対してはＮＡ０．５０になるように、または、ＢＤ用対物レンズ（２０）がＮＡ０．８５となるように、対物レンズ（１９）又は対物レンズ（２４）への入射光のビーム径を波長に応じて特定されるように光ヘッド（９）内の光学系が構成されている（特開２００１‐４３５５９号公報を参照）。
【０１５３】
ＬＤ駆動系（６）は、レーザーモジュール（１４），レーザーモジュール（１５），レーザーモジュール（１６）の発光又は消光を制御する。システムコントローラ（５）は光ディスク装置の全体動作を統括する。
【０１５４】
本第２実施形態の光ディスク装置においても第１実施形態と同様に、光ディスク（１）がスピンドルモータ（２）にチャッキングされると、システムコントローラ（５）がＬＤ駆動系（６）及びサーボコントローラ（４）を制御することで、レーザーモジュール（１５）からのレーザ光をＨＤ  ＤＶＤ・ＤＶＤ・ＣＤ用対物レンズ（２４）を介して光ディスク（１）に集光照射させながら対物レンズアクチュエータ（１２）を光軸方向に移動させてフォーカスサーチを実行する。このとき、レーザーモジュール（１５）からの波長４０５ｎｍの青色光とＨＤ  ＤＶＤ・ＤＶＤ・ＣＤ用対物レンズ（２４）との組み合わせを用いてフォーカスサーチが実行される。
【０１５５】
サーボコントローラ（４）は、フォーカスサーチの結果ＲＦ回路部（７）で生成されるフォーカスエラー信号を入力してフォーカスＳ字信号を検出しこのフォーカスＳ字信号に基づいて光ディスク（１）を判別する光ディスク判別手段としての機能と、その判別結果に従って対物レンズアクチュエータ（１２）と光ディスク（１）との位置を制御する制御信号を生成しサーボ駆動系（３）へ出力する機能とを有している。
【０１５６】
光ディスク（１）の記録層には、媒体種別情報を記録した領域としてＢＣＡ（Ｂｕｒｓｔ  Ｃｕｔｔｉｎｇ  Ａｒｅａ）が設けられている場合があり、フォーカスＳ字信号に基づいて光ディスクの情報記録層の層数が特定されると、システムコントローラ（５）は、ＬＤ駆動系（６），サーボコントローラ（４）を制御して、光ディスク（１）における１つ又は複数の情報記録層のうちの特定の情報記録層に存在するＢＣＡに媒体種別情報が記憶されているか否かを判定し媒体種別情報の有無によって光ディスク（１）の種類を判別する媒体種別情報手段としての機能と、ＢＣＡに媒体種別情報が記憶されている場合に媒体種別情報を読み込み光ディスク（１）の種類を判別する媒体種別情報読込手段としての機能とを有している。
【０１５７】
本第２実施形態の光ディスク装置においても、第１実施形態と同様に、ＨＤ  ＤＶＤ，ＤＶＤ，ＣＤ用としてＷＤを１．５ｍｍとする対物レンズ（２４）を用い、ＢＤ用にＷＤを０．７ｍｍとする対物レンズ（２０）を用いている。
【０１５８】
本第２実施形態の光ディスク装置は、波長４０５ｎｍの青色光を用いてフォーカスサーチを実行する。波長４０５ｎｍの青色光を用いる理由は、光ディスク（１）の表面および記録層にてフォーカスＳ字信号が明確に検出でき、かつ記録層数の判別が安定に行えるためである。
【０１５９】
ここで、波長４０５ｎｍの青色光を用いることで青色光の使用を前提としているＢＤ，ＨＤ  ＤＶＤだけでなく波長６５０ｎｍの赤色光の使用を前提にしたＤＶＤや波長７８０ｎｍの赤外光の使用を前提にしたＣＤでもディスクの表面及び記録層でのフォーカスＳ字信号が検出できる理由を説明する。
【０１６０】
＜フォーカスサーチに用いるレーザ光と対物レンズについての説明＞
ＢＤ、ＨＤ  ＤＶＤ、ＤＶＤ、ＣＤともに光の入射面からの構造は、１層光ディスクの場合、基板（ＢＤではカバー層）、１層記録層の順であり、２層光ディスクの場合、基板（ＢＤではカバー層）、１層記録層、中間層、２層記録層の順である。またＣＤには２層ディスクはない。
【０１６１】
各光ディスクにおいて光入射面で発生するフォーカスＳ字信号について説明すると、ＢＤ、ＨＤ  ＤＶＤ、ＤＶＤ、ＣＤともに基板又はカバー層および中間層はポリカーボネイトに代表される樹脂を用いており、光の透過率は青色光、赤色光、赤外光で差はなくほぼ一定であり、光の波長によるフォーカスＳ字信号の発生に影響はない。波長４０５ｎｍの青色光を入射した場合、ＢＤ，ＨＤ  ＤＶＤにおいて光入射面でのフォーカスＳ字信号が検出でき、ＤＶＤ，ＣＤにおいても光入射面でのフォーカスＳ字信号が検出できる。
【０１６２】
一方で、各光ディスクにおいて記録層で発生するフォーカスＳ字信号について説明すると、ＢＤ、ＨＤ  ＤＶＤ、ＤＶＤ、ＣＤにおける記録層はともに光の波長によって光透過率や反射率が変化するため、入射光の波長がフォーカスＳ字信号の発生に影響を与える。
【０１６３】
ＢＤ，ＨＤ  ＤＶＤの２層媒体に波長４０５ｎｍの青色光を照射すると、１層目記録層及び２層目記録層の２つの記録層を確実に認識できる。しかし、ＢＤ，ＨＤ  ＤＶＤの２層媒体にＤＶＤ用の波長６５０ｎｍの赤色光を照射した場合は、２層目記録層（光入射面から最も離れた情報記録層）でのフォーカスＳ字信号がほぼ検出できないので、ＢＤ，ＨＤ  ＤＶＤの２層媒体を１層媒体と誤判断してしまう。
【０１６４】
これは青色光に対して１層目記録層は５０％以上の透過率であるとすれば、赤色光に対して１層目記録層は３０％程度の透過率となるためである。２層目記録層からの戻り光は入射時と反射時の２回１層目記録層を通過するので、光ヘッド（９）にて検出される２層目記録層の実効反射率は、２層目記録層の反射率を１００％としても、青色光の場合は１層目記録層１回通過毎に５０％に低減されるためほぼ２５％となるが、赤色光の場合は１層目記録層１回通過毎に３０％に低減されるため９％程度にしかならない。
【０１６５】
また、ＢＤ又はＨＤ  ＤＶＤの２層媒体にＣＤ用の赤外光を照射した場合は、１層目記録層の透過率は３０％未満となり、赤色光の場合よりも更に２層目記録層でのフォーカスＳ字信号を検出するのが困難になる。
【０１６６】
また、青色光よりも短波長の光をＢＤ，ＨＤ  ＤＶＤの２層媒体に照射した場合は、青色光の場合よりも１層目記録層の透過率は向上する。しかし、例えば１層目記録層の透過率がΔα％（Δα＞０）向上とすると、２層目記録層の反射率は逆にΔα％程度低下する。更に、基板またはカバー層として使われるポリカーボネイトに代表される樹脂の光透過率は、短波長になるほど低下し波長３５０ｎｍでは１層目記録層の透過率の向上と相反してポリカーボネイトに代表される樹脂の透過率は低下（−Δα％）し、波長２００ｎｍでは透過率０％、即ち、透過しないことになる。
【０１６７】
ＢＤ，ＨＤ  ＤＶＤの２層媒体に波長３５０ｎｍの光を照射した場合、１層目記録層の透過率はΔα％増加するが、ポリカーボネイトに代表される樹脂の透過率はΔα％低下となり、透過率変化はキャンセルされ２層目記録層の実効反射率は青色光の場合での実効反射率よりΔα％程度低下する。
【０１６８】
このように、青色光を前提に作成されたＢＤ，ＨＤ  ＤＶＤの２層媒体に対して青色光より短波長の光を照射した場合、２層目記録層の実効反射率が低下するため、フォーカスＳ字信号振幅も青色光使用時より低下し、フォーカスＳ字信号が検出できない恐れがある。
【０１６９】
ＤＶＤは波長６５０ｎｍの赤色光の使用を前提とした規格なので、赤色光に対しては記録層でのフォーカスＳ字信号が検出できる。一方、赤色光よりも短波長である青色光をＤＶＤの１層媒体や２層媒体の１層目記録層に集光照射すると、赤色光の場合よりも１層目記録層の反射率は低下する。例えば、１層目記録層の反射率がΔＡ％（ΔＡ＞０）低下とすると、青色光をＤＶＤに集光照射した場合の１層目記録層の実効反射率は、赤色光の場合に比べてΔＡ％程度減少する。
【０１７０】
ＤＶＤにおいて、青色光の場合の１層目記録層の実効反射率は、赤色光の場合に比べてΔＡ％減少すると半分程度小さくなるが、０％にはならない。フォーカスＳ字信号は各記録層の実効反射率に比例した振幅で発生するので、青色光の場合の実効反射率が０％ではないなら、青色光をＤＶＤの１層媒体や２層媒体の１層目記録層に集光照射すると、１層目記録層でのフォーカスＳ字信号を検出することができる。
【０１７１】
また、青色光をＤＶＤの２層媒体の２層目記録層に集光照射する場合、１層目記録層の透過率は赤色光の場合に比べてΔＡ％向上するが、２層目記録層の反射率は同程度低下する（−ΔＡ％）。２層目記録層からの戻り光は入射時と反射時の２回１層目記録層を通過するため、青色光の場合の２層目記録層の実効反射率は赤色光の場合よりΔＡ％程度上昇する。これにより、青色光をＤＶＤの２層媒体の２層目記録層に集光照射するとフォーカスＳ字信号を検出できる。
【０１７２】
また、ＤＶＤの２層媒体にＣＤ用の赤外光を照射した場合は、１層目記録層の透過率が赤色光の場合より低下し、２層目記録層の実効反射率が低下するため、赤色光を用いるよりも２層目記録層でのフォーカスＳ字信号の検出が困難になる。
【０１７３】
ＣＤは波長７８０ｎｍの赤外光の使用を前提とする規格なので、赤外光に対しては記録層にてフォーカスＳ字信号が検出できる。赤外光よりも短波長である青色光をＣＤの１層目記録層に集光照射すると、赤外光の場合に比べて１層目記録層の反射率は低下する。例えばΔＢ％（ΔＢ＞０）低下とする。
【０１７４】
よって、赤外光よりも短波長である青色光をＣＤに集光照射した場合の１層目記録層の実効反射率は、赤外光の場合に比べてΔＢ％程度減少する。青色光の場合の１層目記録層の実効反射率は、赤外光の場合に比べてΔＢ％減少すると半分程度小さくなるが、０％にはならない。
【０１７５】
フォーカスＳ字信号は記録層の実効反射率に比例した振幅で発生するので、青色光の場合の１層目記録層の実効反射率が０％ではないなら、青色光をＣＤの１層目記録層に集光照射するとフォーカスＳ字信号を検出できる。
【０１７６】
このように、波長４０５ｎｍの青色光にてフォーカスサーチを行うと、青色光の使用を前提にしたＢＤ及びＨＤ  ＤＶＤだけでなく赤色光の使用を前提にしたＤＶＤや赤外光の使用を前提にしたＣＤでもディスク表面及び記録層でのフォーカスＳ字信号が検出できる。よって、本第２実施形態においては、波長４０５ｎｍの青色光を用いてフォーカスサーチを実行する。
【０１７７】
次に、ＢＤ，ＨＤ  ＤＶＤ，ＤＶＤ，ＣＤのいずれかの場合においても、ＢＣＡリードに波長４０５ｎｍの青色光を用いるのが有効である理由ついて説明する。
【０１７８】
光ヘッド（９）から出力される光量和（ＳＵＭ）信号から抽出されたＢＣＡ信号に含まれる媒体種別情報から媒体判別を行うが、青色光を前提にしたＢＤ，ＨＤ  ＤＶＤの複数層媒体でＢＣＡが光入射面から最も離れた記録層に有る場合に、青色光以外の光を媒体に照射してＢＣＡ信号を抽出すると、ＳＵＭ信号のピークとボトムの差が小さくなり、ＢＣＡ信号の抽出に失敗するという問題点がある。これは青色光以外の光を媒体に照射するとフォーカスＳ字信号の振幅が低下するのと同様の理由によるものである。
【０１７９】
ＢＤ、ＨＤ  ＤＶＤの２層媒体に青色光を照射すると２層目記録層の反射率を１００％としても、２層目記録層の実効反射率は２５％程度になるが、赤色光の場合は２層目記録層の実効反射率は９％程度にしかならない。ＢＤ、ＨＤ  ＤＶＤの２層媒体に赤色光を照射すると２層目記録層のＳＵＭ信号のピークとボトムの差は微小で、ＳＵＭ信号からＢＣＡ信号を抽出するのが極めて難しくなる。
【０１８０】
また、ＣＤの記録再生に使われる赤外光の場合は１層目記録層の透過率は３０％未満となり、赤色光の場合よりも更に２層目記録層のＳＵＭ信号のピークとボトムの差は小さく、ＳＵＭ信号からＢＣＡ信号を抽出するのが極めて難しくなる。
【０１８１】
また、ＢＤ、ＨＤ  ＤＶＤの２層媒体に青色光より短波長な光を照射した場合、フォーカスＳ字信号の検出について述べたのと同様の理由により、２層目記録層実効反射率が低下するため、２層目記録層のＳＵＭ信号のピークとボトムの差は青色光照射時より小さくなり、ＳＵＭ信号からＢＣＡ信号を抽出するのが難しくなる。
【０１８２】
ＤＶＤの２層媒体に赤色光より短波長な青色光を照射した場合、２層目記録層の実効反射率がΔβ％上昇するため、２層目記録層の実効反射率が上昇するため、２層目記録層のＳＵＭ信号のピークとボトムの差が増大し、安定してＳＵＭ信号からＢＣＡ信号を抽出できる。
【０１８３】
また、ＤＶＤの２層媒体にＣＤ用の赤外光を照射した場合は、１層目記録層の透過率が赤色光の場合より低下し、２層目記録層の実効反射率が低下するため、２層目記録層のＳＵＭ信号のピークとボトムの差が低下し、ＳＵＭ信号からＢＣＡ信号を抽出するのが難しくなる。
【０１８４】
以上から、波長４０５ｎｍの青色光、波長６５０ｎｍの赤色光、波長７８０ｎｍの赤外光と波長の異なる複数のレーザ光を用いる光ディスク装置の場合、複数層媒体の光入射面から最も離れた記録層での実効反射率が最大となる波長の光（第２実施形態では波長４０５ｎｍの青色光）を用いてフォーカスサーチすることで、記録層数を安定して判別できる。また、ＢＣＡリードについても、複数層媒体の光入射面から最も離れた記録層での実効反射率が最大となる波長の光である波長４０５ｎｍの青色光を用いることで安定して読むことができる。
【０１８５】
波長４０５ｎｍの青色光により媒体判別のためフォーカスサーチする際、波長４０５ｎｍの青色光を前提にしたＮＡはＮＡ０．６５とＮＡ０．８５の２条件であるが、ＮＡ０．６５とＮＡ０．８５の両条件についてフォーカスサーチ時のフォーカスエラー信号がどのように観測されるかは、上述してた第１実施形態の説明と同様である。
【０１８６】
よって、波長４０５ｎｍの青色光により媒体種類判別のためフォーカスサーチする際、波長４０５ｎｍの青色光を前提にしたＮＡ０．６５とＮＡ０．８５の両条件のうち、記録層数を安定して検出できるＮＡ０．６５条件を選択する。
【０１８７】
＜動作＞
図６に示した本第２実施形態の光ディスク装置において、波長４０５ｎｍの青色光を出射するレーザモジュール（１５）と青色光に対してＮＡ０．６５の対物レンズ（２４）を選択して使用し、ＢＤ，ＨＤ  ＤＶＤ，ＤＶＤ，ＣＤの媒体判別のためフォーカスサーチから媒体判別後のフォーカスサーボ引き込み前までの動作を説明する。
【０１８８】
まず、ＢＤ，ＨＤ  ＤＶＤ，ＤＶＤ，ＣＤのいずれかの光ディスク（１）がスピンドルモータ（２）にチャッキングされた状態でスピンドルモータ（２）を回転させる。
【０１８９】
レーザーモジュール（１４）及びレーザーモジュール（１６）は発光停止させて、レーザーモジュール（１５）に波長４０５ｎｍの青色光を発光させ、立ち上げミラー（１１）を移動させて青色光をＨＤ  ＤＶＤ・ＤＶＤ・ＣＤ用対物レンズ（２４）に導く。
【０１９０】
球面収差用凹レンズ（２１）を予め定められた初期位置（例えばＨＤ  ＤＶＤの１層で出現するフォーカスＳ字信号振幅を最大にする位置）に移動させる。
【０１９１】
青色光を光ディスク（１）上に集光照射させながら、対物レンズアクチュエータ（１２）をフォーカス方向に等速で移動させ戻り光の変動をレーザーモジュール（１５）内の光検出器に検出させてフォーカスサーチを実行する。
【０１９２】
フォーカスサーチの結果、光ディスク（１）表面と１層目記録層それぞれで出現するフォーカスＳ字信号の時間間隔が０．１ｍｍ相当であればＢＤと判別し、０．６ｍｍ相当であればＨＤ  ＤＶＤまたはＤＶＤと判別し、１．２ｍｍ相当であればＣＤと判別する。また、フォーカスＳ字信号の出現数が２つであれば１層光ディスク、フォーカスＳ字信号の出現数が３つであれば２層光ディスクと判別する。
【０１９３】
ＢＤと判別した場合、立ち上げミラー（１１）を動かして青色光をＢＤ用対物レンズ（２０）に導く。対物レンズアクチュエータ（１２）をフォーカス方向に等速で移動させ、フォーカスＳ字信号をモニタしながら凹レンズ（２１）を動かし、１層光ディスクであれば１層目のフォーカスＳ字信号振幅を最大にする球面収差調整を行う。また２層光ディスクであれば１層目と２層目それぞれの記録層のフォーカスＳ字信号振幅を最大にする凹レンズ（２１）位置を求める球面収差調整を行った後、２層目記録層のフォーカスＳ字信号振幅を最大にするよう凹レンズ（２１）位置を設定する（ＢＤでは記録再生する記録層が１層⇔２層と切替る度にそれぞれの記録層で最適な球面収差に設定しないと安定して記録再生が行えない）。その後フォーカスサーボ引き込み動作に移る。
【０１９４】
ＨＤ  ＤＶＤまたはＤＶＤと判別した場合、  スレッドモータ（８）により対物レンズアクチュエータ（１２）をＢＣＡに移動させる。フォーカスサーチにて１層光ディスクと判別された場合はＢＣＡデータが１層目記録層に形成されているので１層目記録層にフォーカスサーボを引き込み、フォーカスサーチにて２層光ディスクと判別された場合はＢＣＡデータが２層目記録層に形成されているので２層目記録層にフォーカスサーボを引き込む。ＲＦ回路（７）にてＲＦ信号中のＢＣＡ信号を検出し、システムコントローラ（５）にてＢＣＡデータをリードする。ＢＣＡデータ内の媒体種別情報からＨＤ  ＤＶＤまたはＤＶＤを判別する。またＢＣＡデータが読めない場合はＤＶＤと判別する。
【０１９５】
ＨＤ  ＤＶＤとＤＶＤの基板厚はともに０．６ｍｍと同じであり、フォーカスサーチではＨＤ  ＤＶＤかＤＶＤかの判別が不可能である。しかし、ＨＤ  ＤＶＤには内周にＢＣＡがあり、ＢＣＡデータ内に光ディスク（１）の媒体種別情報がある。ＤＶＤではＢＣＡデータ領域があるものとないものが存在する。ＢＣＡを検索し媒体種別情報を読むことでＨＤ  ＤＶＤかＤＶＤかの判別が可能である。ＨＤ  ＤＶＤの１層光ディスクはＢＣＡを１層目記録層に有しており、ＨＤ  ＤＶＤの２層光ディスクではＢＣＡを２層目記録層に有している。よって、ＨＤ  ＤＶＤとＤＶＤの判別時には記録層数が既知であることが重要である。
【０１９６】
ＨＤ  ＤＶＤと判別された場合には、スレッドモータ（８）により対物レンズアクチュエータ（１２）をデータ領域に移動させ、引き続き記録再生のためのサーボ信号調整を行う。ＤＶＤと判別された場合にはレーザーモジュール（１５）に青色光の発光を停止させ、レーザーモジュール（１４）に対して赤色光を発光させ、フォーカスサーボ引き込み動作に移る。
【０１９７】
ＣＤと判別した場合、レーザーモジュール（１５）の青色光の発光を停止させ、レーザーモジュール（１６）に赤外光を発光させ、フォーカスサーボ引き込み動作に移る。
【０１９８】
以上から、光ディスク（１）において複数層媒体の光入射面から最も離れた記録層での実効反射率を最大にする波長光（本第２実施形態では青色光）を用い、この波長光を前提にした光ディスク（１）（本第２実施形態ではＢＤ又はＨＤ  ＤＶＤ）に用いるレンズのＮＡ条件（本第２実施形態ではＮＡ０．８５とＮＡ０．６５）の中でＮＡの小さい条件（本第２実施形態ではＮＡ０．６５）を選択しフォーカスサーチを行い、ＨＤ  ＤＶＤとＤＶＤとに関してはＢＣＡリードを行うことでＢＤ，ＨＤ  ＤＶＤ，ＤＶＤ，ＣＤの４つの光ディスクの種類を安定かつ確実に判別できる。
【０１９９】
以上のように本第２実施形態において、ＢＤ，ＨＤ  ＤＶＤ，ＤＶＤ，ＣＤに対応した光ディスク装置について説明したが、ＢＤ，ＤＶＤ，ＣＤに対応した光ディスク装置の場合も説明する。
【０２００】
光ディスク（１）において複数層媒体の光入射面から最も離れた記録層での実効反射率を最大にする波長光（青色光）を用い、この波長光を前提にしている光ディスク（１）（この場合ＢＤ）に用いるレンズのＮＡ条件（この場合ＮＡ０．８５）の中でＮＡの小さい条件（この場合ＮＡ０．８５）を選択する。
【０２０１】
波長４０５ｎｍの青色光とＮＡ０．８５条件の組み合わせで、フォーカスサーチを行い、光の入射面と記録層で発生するフォーカスＳ字信号の時間間隔でＢＤ，ＤＶＤとＣＤとを判別する。ここで、ＮＡ０．８５の対物レンズではＷＤが０．７ｍｍであり、ＣＤの基板厚は１．２ｍｍなのでフォーカスサーチによりＣＤの記録層を検出しようとすると対物レンズがＣＤの表面に衝突してしまう。そこでＣＤの場合は光の入射面でのみフォーカスＳ字信号が検出されたことで判別する。基板厚０．６ｍｍの光ディスク（１）はＤＶＤしかないのでフォーカスサーチのみでＢＤ，ＤＶＤとＣＤとの判別ができる。
【０２０２】
ＮＡ０．８５条件では球面収差の影響で記録層数の判別が確実ではない。しかし、ＢＤでは球面収差調整があるので、そこで記録層数が確実に検出できる。またＤＶＤでは１層のコントロールゾーンをリードすることで記録層数情報が得られるので、フォーカスサーチで確実に記録層数を得る必要はない。
【０２０３】
また、波長４０５ｎｍの青色光とＮＡ０．８５の実使用条件を考慮した組み合わせでフォーカスサーチを行っているのでＢＤと判別した場合、波長切替やＮＡ切替がなく短時間で媒体判別から記録再生に移行できる。
【０２０４】
よって、ＢＤ，ＤＶＤ，ＣＤに対応した光ディスク装置でも本第２実施形態の媒体種類判別方法を用いることで、ＢＤ，ＤＶＤ，ＣＤの３つの光ディスクの種類を安定かつ確実に判別できるとともに、実使用条件を考慮した波長のレーザ光とＮＡの対物レンズとの組み合わせにより、ＢＤの場合短時間で媒体判別から記録再生に移行できる。
【０２０５】
ここで、上述した第１及び第２実施形態では複数層媒体（ＢＤ、ＨＤ  ＤＶＤ、ＤＶＤ）の１層目記録層にＡｇＩｎＳｂＴｅ（銀‐インジウム‐アンチモン‐テルル）系を用いた場合を想定しているので、複数層媒体における光入射面から最も離れた記録層での実効反射率を最も大きくするのは青色光である。しかし、１層目記録層はＡｇＩｎＳｂＴｅ系以外も想定され、この場合、媒体の種類（ＢＤ、ＨＤ  ＤＶＤ、ＤＶＤや再生専用媒体、記録再生媒体）によって複数層媒体の光入射面から最も離れた記録層での実効反射率を最も大きくする波長が異なる場合が考えられる。この場合は、複数種類の複数層媒体において光入射面から最も離れた記録層での実効反射率を最も大きくする波長のうち短波長のもの（青色光）を選択する。これは既存の複数層媒体の１層目記録層にＡｇＩｎＳｂＴｅ系を用いた媒体の記録層数の誤検出を防止するためである。
【産業上の利用可能性】
【０２０６】
記録再生に使用される光の波長および対物レンズの実効的開口数（ＮＡ）が異なる種類の光ディスクに対して情報の記録、または再生を行う光ディスク装置における媒体種類判別法として、広く適応することができ、媒体種類判別を安定かつ確実に行うことができる。
【図面の簡単な説明】
【０２０７】
【図１】本発明における第１実施形態の光ディスク装置の構成を示す図である。
【図２】フォーカスサーチにおける対物レンズの動きを示す説明図である。
【図３】フォーカスエラー信号のタイミングチャートを示す図である。
【図４】使用した対物レンズごとのフォーカスエラー信号のタイミングチャートを示す図である。
【図５】図１に開示された実施形態の光ディスク装置における動作を示すフローチャートである。
【図６】本発明における第２実施形態の光ディスク装置の構成を示す図である。
【符号の説明】
【０２０８】
１  光ディスク
２  スピンドルモータ
３  サーボ駆動系
４  サーボコントローラ
５  システムコントローラ
６  ＬＤ駆動系
７  ＲＦ回路
８  スレッドモータ
９  光ヘッド
１１  立ち上げミラー
１２  対物レンズアクチュエータ
１３  ミラー駆動モータ
１４  レーザーモジュール（出射光波長６５０ｎｍ）
１５  レーザーモジュール（出射光波長４０５ｎｍ）
１６  レーザーモジュール（出射光波長７８０ｎｍ）
１７，１８  ビームスプリッタ
１９，２４  対物レンズ（ＮＡ０．６５）
２０  対物レンズ（ＮＡ０．８５）
２１  凹レンズ
２２  凸レンズ
２３  レンズ駆動モータ
【図１】
2008165904.tif 000003
【図２】
2008165904.tif 000004
【図３】
2008165904.tif 000005
【図４】
2008165904.tif 000006
【図５】
2008165904.tif 000007
【図６】
2008165904.tif 000008